(57)【要約】  基地局装置と通信する移動局装置であって、前記基地局装置の送信信号の測定結果から下り同期誤りの発生を検出する下り同期誤り検出部と、前記移動局装置の下り同期状態、又は下り同期状態と上り同期状態に基づき下り同期誤りの発生を示す情報をランダムアクセスチャネルに設定する同期監視部と、前記ランダムアクセスチャネルを前記基地局装置へ送信する下り同期誤り通知部とを備える。
2008111606.tif 000002
【特許請求の範囲】
【請求項１】
移動局装置と基地局装置とを備える移動通信システムであって、
前記移動局装置は、
前記基地局装置の送信信号の測定結果から下り同期誤りの発生を検出する下り同期誤り検出部と、
前記移動局装置の下り同期状態、又は下り同期状態と上り同期状態に基づき下り同期誤りの発生を示す情報をランダムアクセスチャネルに設定する同期監視部と、
前記ランダムアクセスチャネルを前記基地局装置へ送信する下り同期誤り通知部とを備え、
前記基地局装置は、
前記移動局装置からのランダムアクセスチャネルを受信し、前記ランダムアクセスチャネルに設定された下り同期誤りの発生を示す制御情報の取得処理を実行し、前記下り同期誤りの発生を示す情報に基づくスケジューリングを行う適応制御部を備えることを特徴とする移動通信システム。
【請求項２】
前記移動局装置は、
前記移動局装置の下り同期状態が下り同期誤りの発生を少なくとも一回検出した状態であれば、前記基地局装置に対して下り同期誤りの発生を示す情報をランダムアクセスチャネルに設定することを特徴とする請求項１に記載の移動通信システム。
【請求項３】
前記移動局装置は、
前記移動局装置の下り同期状態が下り同期誤りの発生を所定回数又は所定時間連続して検出している状態であれば、前記基地局装置に対して下り同期誤りの発生を示す情報をランダムアクセスチャネルに設定することを特徴とする請求項１に記載の移動通信システム。
【請求項４】
前記移動局装置は、
前記移動局装置の上り同期状態が上り送信タイミングを示す上りタイミング調整制御データを受信してから所定の時間内の状態であり、更に前記移動局装置の下り同期状態が下り同期誤りを少なくとも一回検出した状態であれば、前記基地局装置に対して下り同期誤りの発生を示す情報をランダムアクセスチャネルに設定することを特徴とする請求項１に記載の移動通信システム。
【請求項５】
前記移動局装置は、
前記基地局装置に対して下り同期誤りの発生を通知した後、所定時間が経過するたびに前記基地局装置に対してランダムアクセスチャネルを用いて下り同期誤りの発生を繰り返し送信することを特徴とする請求項１に記載の移動通信システム。
【請求項６】
前記基地局装置は、
前記移動局装置から下り同期誤りの発生を通知されると同時に下り同期外れまでの時間を計時するタイマを起動し、前記タイマが満了するまで、又は、下り同期誤りが回復するまでの期間において、前記移動局装置への送信信号に対して下り同期誤りの通知前よりも誤り訂正能力の高い変調方式を用いる、又は、送信電力を増加させるスケジューリングを行うことを特徴とする請求項１に記載の移動通信システム。
【請求項７】
前記基地局装置は、
前記移動局装置から下り同期誤りの発生を通知されると同時に下り同期外れまでの時間を計時するタイマを起動し、前記タイマが満了したときに、以降の前記移動局装置に対する送信を停止するスケジューリングを行うことを特徴とする請求項１に記載の移動通信システム。
【請求項８】
基地局装置と通信する移動局装置であって、
前記基地局装置の送信信号の測定結果から下り同期誤りの発生を検出する下り同期誤り検出部と、
前記移動局装置の下り同期状態、又は下り同期状態と上り同期状態に基づき下り同期誤りの発生を示す情報をランダムアクセスチャネルに設定する同期監視部と、
前記ランダムアクセスチャネルを前記基地局装置へ送信する下り同期誤り通知部と、
を備えることを特徴とする移動局装置。
【請求項９】
前記同期監視部は、移動局装置の下り同期状態が下り同期誤りの発生を少なくとも一回検出した状態であれば、下り同期誤りの発生を示す情報をランダムアクセスチャネルに設定することを特徴とする請求項８に記載の移動局装置。
【請求項１０】
前記同期監視部は、前記移動局装置の下り同期状態が下り同期誤りの発生を所定回数又は所定時間連続して検出している状態であれば、下り同期誤りの発生を示す情報をランダムアクセスチャネルに設定することを特徴とする請求項８に記載の移動局装置。
【請求項１１】
前記同期監視部は、前記移動局装置の上り同期状態が上り送信タイミングを示す上りタイミング調整制御データを受信してから所定の時間内の状態であり、更に前記移動局装置の下り同期状態が下り同期誤りを少なくとも一回検出した状態であれば、下り同期誤りの発生を示す情報をランダムアクセスチャネルに設定することを特徴とする請求項８に記載の移動局装置。
【請求項１２】
前記下り同期誤り通知部は、前記基地局装置に対して下り同期誤りの発生を通知した後、所定時間が経過するたびに前記基地局装置に対してランダムアクセスチャネルを用いて下り同期誤りの発生を繰り返し通知することを特徴とする請求項８に記載の移動局装置。
【請求項１３】
移動局装置と通信する基地局装置であって、
前記移動局装置から下り同期誤りの発生を通知されると同時に下り同期外れまでの時間を計時するタイマを起動し、前記タイマが満了するまで、又は下り同期誤りが回復するまでの期間において、前記下り同期誤りの発生を示す情報に基づくスケジューリングを行う適応制御部を備えることを特徴とする基地局装置。
【請求項１４】
前記適応制御部は、前記移動局装置への送信信号に対して下り同期誤りの通知前よりも誤り訂正能力のより高い変調方式を用いる、又は、送信電力を増加させるスケジューリングを行うことを特徴とする請求項１３に記載の基地局装置。
【請求項１５】
前記適応制御部は、前記移動局装置から下り同期誤りの発生を通知されると同時に下り同期外れまでの時間を計時するタイマを起動し、前記タイマが満了したときに、以降の前記移動局装置に対する送信を停止するスケジューリングを行うことを特徴とする請求項１３に記載の基地局装置。
【請求項１６】
移動局装置と基地局装置とを用いた移動通信方法であって、
前記移動局装置は、
前記基地局装置の送信信号の測定結果から下り同期誤りの発生を検出する下り同期誤り検出過程と、
前記移動局装置の下り同期状態、又は下り同期状態と上り同期状態に基づき下り同期誤りの発生を示す情報をランダムアクセスチャネルに設定する同期監視過程と、
前記ランダムアクセスチャネルを前記基地局装置へ送信する下り同期誤り通知過程とを有し、
前記基地局装置は、
前記移動局装置からのランダムアクセスチャネルを受信し、前記ランダムアクセスチャネルに設定された下り同期誤りの発生を示す制御情報の取得処理を実行し、前記下り同期誤りの発生を示す情報に基づくスケジューリングを行う適応制御過程を有することを特徴とする移動通信方法。
【請求項１７】
前記同期監視過程では、前記移動局装置の下り同期状態が下り同期誤りの発生を少なくとも一回検出した状態であれば、前記基地局装置に対して下り同期誤りの発生を示す情報をランダムアクセスチャネルに設定することを特徴とする請求項１６に記載の移動通信方法。
【請求項１８】
前記同期監視過程では、前記移動局装置の下り同期状態が下り同期誤りの発生を所定回数又は所定時間連続して検出している状態であれば、前記基地局装置に対して下り同期誤りの発生を示す情報をランダムアクセスチャネルに設定することを特徴とする請求項１６に記載の移動通信方法。
【請求項１９】
前記同期監視過程では、前記移動局装置の上り同期状態が上り送信タイミングを示す上りタイミング調整制御データを受信してから所定の時間内の状態であり、更に前記移動局装置の下り同期状態が下り同期誤りを少なくとも一回検出した状態であれば、前記基地局装置に対して下り同期誤りの発生を示す情報をランダムアクセスチャネルに設定することを特徴とする請求項１６に記載の移動通信方法。
【請求項２０】
前記下り同期誤り通知過程では、前記基地局装置に対して下り同期誤りの発生を通知した後、所定時間が経過するたびに前記基地局装置に対してランダムアクセスチャネルを用いて下り同期誤りの発生を繰り返し通知することを特徴とする請求項１６に記載の移動通信方法。
【請求項２１】
前記適応制御過程では、前記移動局装置から下り同期誤りの発生を通知されると同時に下り同期外れまでの時間を計時するタイマを起動し、前記タイマが満了するまで、又は下り同期誤りが回復するまでの期間において、前記移動局装置への送信信号に対して下り同期誤りの通知前よりも誤り訂正能力のより高い変調方式を用いる、又は、送信電力を増加させるスケジューリングを行うことを特徴とする請求項１６に記載の移動通信方法。
【請求項２２】
前記適応制御過程では、前記移動局装置から下り同期誤りの発生を通知されると同時に下り同期外れまでの時間を計時するタイマを起動し、前記タイマが満了したときに、以降の前記移動局装置に対する送信を停止するスケジューリングを行うことを特徴とする請求項１６に記載の移動通信方法。
【発明の詳細な説明】
【技術分野】
【０００１】
本発明は、移動通信システム、移動局装置、基地局装置及び移動通信方法に関する。
本願は、２００７年３月１３日に、日本に出願された特願２００７−０６３７２８号に基づき優先権を主張し、その内容をここに援用する。
【背景技術】
【０００２】
現在、第３世代の周波数帯に第４世代向けに検討されていた技術の一部を導入することによって、通信速度の高速化を目的としたＥＵＴＲＡ（Evolved Universal TerrestrialRadio Access）が標準化団体３ＧＰＰ（3rd Generation Partnership Project）にて検討されている（非特許文献１、非特許文献２）。
ＥＵＴＲＡでは、通信方式として、マルチパス干渉に強く、高速伝送に適したＯＦＤＭＡ（Orthogonal Frequency Division Multiplexing Access）方式を採用することが決まっている。また、ＥＵＴＲＡに関するデータ転送制御やリソース管理制御といった上位レイヤの動作に関する詳細仕様は、低遅延、低オーバヘッド化を実現し、更に可能な限り簡易な技術の採用が進められている（非特許文献２）。【０００３】
ＥＵＴＲＡにおける上位レイヤの制御のうち、下位レイヤで下り同期外れを検出したときの制御方式については、第３世代の移動無線アクセス網ＵＴＲＡＮ（Universal Terrestrial Radio Access Network）で採用されたＷ−ＣＤＭＡ（Wideband-Code Division Multiple Access）方式とほぼ同等の制御方式が考えられている（非特許文献２の１０．１．６節参照）。Ｗ−ＣＤＭＡ方式では、下り同期外れを検出した移動局装置は上りのデータチャネル送信を停止させる制御が必要である（非特許文献３の６．４．４節参照）。前記制御により、無線リソース要求や閉ループ制御のために移動局装置が基地局装置に送信する情報（例えば、品質情報指標やパケット再送制御情報、電力制御情報）が下り同期外れ時に基地局装置に通知されなくなるため閉ループ制御が成立せず、無線リソースの浪費や消費電力が増える可能性があった。そのため、Ｗ−ＣＤＭＡ方式では下り同期外れを発生させないための方式が数多く提案されてきた（特許文献１参照）。【０００４】
図２０は、従来の技術における移動局装置の基地局装置に対する送信（図２０（ａ））とその後の受信（図２０（ｂ））の処理について説明するための図である。移動局装置は、受信中の下りチャネルのいずれかを用いて下り同期状態を判定する。
図２０は、下りチャネルの誤り検出後に下り同期の回復も再接続も出来ずにアイドル（Idle）状態（移動局装置が基地局装置と無線接続されていない状態）に遷移した場合の上りチャネルと下りチャネルの状態遷移を示している。ここで、移動局装置は下りチャネルにおいて、下り同期誤りが検出された場合、下り同期誤りが一時的なものかどうかを判定するため、下りチャネル状態を同期区間Ｐ１１から誤り検出区間Ｐ１２に遷移させる。
更に、誤り検出区間Ｐ１２でも下り同期誤りが継続的に検出され、一定回数の下り同期誤りが検出された場合、続いて下り同期状態の回復を試みる同期保護区間Ｐ１３へと遷移させ、同時に同期保護区間Ｐ１３を計時するタイマを起動する。【０００５】
このとき、移動局装置は、移動局装置から基地局装置に対する上りチャネルを用いた信号の送信を停止する。この区間をデータ信号送信停止区間Ｐ２１と呼ぶ。タイマによる計測が満了しても下りチャネルの同期が回復しない場合、下り同期外れに至ったと判定し、移動局装置は、再接続を試みる再接続区間Ｐ１４に遷移し、同時に再接続区間Ｐ１４を計時するタイマを起動する。再接続区間Ｐ１４において、移動局装置は品質の良好なセルを選択するセルリセレクション手順を繰り返し行う。セルリセレクション手順により、良好なセルを選択した移動局装置は、非同期ランダムアクセスチャネルを用いて、前記良好なセルに対して再接続要求を行う。移動局装置は、前記タイマによる計測が満了するまでに、再接続要求に対する許可が基地局装置から通知されなかった場合、再接続が失敗したと判定して無線リソースを解放し、基地局装置と無線接続されていないアイドル状態区間Ｐ１５へと遷移する。【０００６】
図２１は、従来の技術における移動局装置の基地局装置に対する送信（図２１（ａ））とその後の受信（図２１（ｂ））の処理について説明するための図である。この図２１は、下りチャネルの下り同期誤り検出後、下り同期外れとなる前に下り同期が回復した場合の上りチャネルと下りチャネルの状態遷移を示している。下りチャネル状態が同期保護区間Ｐ１３へ遷移し、上りチャネル状態が上りチャネル停止区間Ｐ２１となるまでは図２０と同じである。
ここで、前記タイマによる計測が満了する前に下りチャネルの同期が回復した場合、移動局装置は下りチャネル状態を同期区間Ｐ１６に遷移し、停止していた上りデータチャネルの送信を再開して通常の状態に復帰する。【０００７】
図２２は、従来の技術における移動局装置の基地局装置に対する送信（図２２（ａ））とその後の受信（図２２（ｂ））の処理について説明するための図である。
図２２は、下りチャネルの下り同期誤り検出後に再接続した場合の上りチャネルと下りチャネルの状態遷移を示している。下り同期外れが発生した後、セルリセレクション手順によって選択したセルの基地局装置に対して再接続要求を行うまでは図２０と同じである。ここで、前記タイマによる計測が満了する前に基地局装置より再接続許可を通知された場合、下りチャネル状態を選択セルに対して同期を試みる同期確立区間Ｐ１７に遷移させ、同期が取れた後は下りチャネル状態を同期区間Ｐ１６に遷移し、同時に停止していた上りデータチャネルの送信を再開して通常の状態に復帰する。【０００８】
図２３は、従来の技術における移動通信システムの処理を示すシーケンス図である。図２３は、ＥＵＴＲＡにおける移動局装置の上りチャネルの状態が上り非同期であるときの、上り送信タイミングの調整方法の一例を示している。移動局装置は、上り同期が取れていないため、非同期ランダムアクセスチャネルでプリアンブルデータを送信することで、上り送信タイミングを基地局装置より調整される。基地局装置は、移動局装置から非同期ランダムアクセスチャネルにより送信された信号を受信し（ステップＳ１１）、受信タイミングと基地局装置のサブフレーム先頭位置とのタイミングずれを測定する（ステップＳ１２）。タイミングのずれは上りタイミング調整制御データとして移動局装置に通知される（ステップＳ１３）。上りタイミング調整制御データを通知する下りチャネルは下りデータチャネルであっても、下り共用制御チャネルであっても良い。
移動局装置は、通知された上りタイミング調整制御データに従って上り送信タイミングを調整し（ステップＳ１４）、以降の上りデータの上り送信タイミングとして用いる（ステップＳ１５）。【０００９】
図２４は、従来の技術における移動通信システムの処理を示すシーケンス図である。図２４は、ＥＵＴＲＡにおける移動局装置の上りチャネルの状態が同期中であるときの、上り送信タイミングの調整方法の他の一例を示している。基地局装置は、移動局装置から所定の周期内で少なくとも一回は送信される上りデータを受信し（ステップＳ２１、Ｓ２５）、受信タイミングと基地局装置のサブフレーム先頭位置とのタイミングずれを測定する（ステップＳ２２、Ｓ２６）。タイミングのずれは上りタイミング調整制御データとして移動局装置に所定の周期内で少なくとも一回は通知される（ステップＳ２３、Ｓ２７）。
基地局装置は、タイミングのずれを測定するために用いる前記移動局装置から送信される上りデータとして、任意の上りチャネルのデータを使用する。
移動局装置は、通知された上りタイミング調整制御データに従って上り送信タイミングを調整し（ステップＳ２４、Ｓ２８）、以降の上りデータの上り送信タイミングとして用いる。ここで、基地局装置と移動局装置の上り同期が継続可能な時間、すなわち通常の通信状態であれば上り同期が維持されることを保証する時間を上り同期調整周期とした場合、上りタイミング調整制御データは、少なくとも上り同期調整周期内に一度は移動局装置に送信される必要がある。また、上りデータは、上り同期調整周期内に一度は基地局装置に送信される必要がある。間欠受信などにより上りデータが上り同期調整周期内に一度も送信されない場合、上り同期状態は上り非同期と判定される。【００１０】
図２５は、従来の技術における移動通信システムの処理を示すシーケンス図である。図２５は、下り同期外れ発生時における移動局装置と基地局装置の両者における下り同期状態の遷移と、関連する無線制御について示している。図２５の処理は、移動局装置と基地局装置とが互いに通信を行っている同期区間Ｐ１１、Ｐ３１の状態から開始している。
下りチャネルの品質劣化などの理由により、移動局装置側の下り同期状態が誤り検出区間Ｐ１２に遷移し、更に下り同期が回復せず、そのまま誤り検出区間Ｐ１２が終了したとき、移動局装置側の下り同期状態は同期保護区間Ｐ１３に遷移すると共に、移動局装置の送信部は、同期保護区間Ｐ１３への遷移を通知されることによって（ステップＳ３１）、上り送信停止制御を行う（ステップＳ３２）。【００１１】
更に、同期保護区間Ｐ１３が終了しても下り同期が回復しない場合、移動局装置側の下り同期状態は再接続区間Ｐ１４に遷移し、移動局装置の無線部は、下り同期外れの検出が通知されることによって（ステップＳ３３）、セルリセレクション制御が開始される（ステップＳ３４）。セルリセレクション制御によって適切なセルが検出された場合、ランダムアクセスチャネルを用いてセルリセレクションの発生を基地局装置に通知する（ステップＳ３５、Ｓ３６）。基地局装置は、前記ランダムアクセスチャネルの信号を受信したときに始めて基地局装置の同期状態を同期区間Ｐ３１から再接続区間Ｐ３２に遷移させ、下り送信停止制御を行う（ステップＳ３７、Ｓ３８）。
【特許文献１】特表２００３−５２４９８７号公報
【非特許文献１】3GPP TR(Technical Report)25.814,V1.5.0(2006-5),Physical Layer Aspects for Evoloved UTRA.[インターネット(2007年2月22日検索)URL: http://www.3gpp.org/ftp/Specs/html-info/25814.htm]
【非特許文献２】3GPP TS(Technical Specification)36.300,V0.4.0(2007-1),Overall discription;Stage2[インターネット(2007年2月22日検索)URL: http://www.3gpp.org/ftp/Specs/html-info/36300.htm]
【非特許文献３】3GPP TS(Technical Specification)25.101,V7.5.0(2006-9),User Equipment(UE) radio transmission and reception(FDD)[インターネット(2007年2月22日検索)URL:http://www.3gpp.org/ftp/Specs/html-info/25101.htm]
【発明の開示】
【発明が解決しようとする課題】
【００１２】
しかしながら、従来の技術では、図２５に示したように、移動局装置が誤り検出区間Ｐ１２に遷移してから基地局装置にセルリセレクションの発生を通知するまでの区間は、移動局装置と基地局装置の下り同期状態の不一致が発生する。そのため、この下り同期状態の不一致区間でスケジューリングされて、基地局装置から移動局装置に対して送信された下りデータは移動局装置で受信されない可能性があり、無線リソースが無駄に消費され、無線利用効率が下がるという問題があった。
これに伴い、移動局装置で下り同期誤りが発生した場合に、基地局装置と移動局装置との間で通信品質が良好な状態で通信を行うことができるようになるまでに、時間がかかるという問題があった。【００１３】
本発明は、上記事情に鑑みてなされたものであり、その目的は、移動局装置で下り同期誤りが発生した場合であっても、早期に基地局装置と移動局装置との間で通信品質が良好な状態で通信を行うことができる移動通信システム、移動局装置、基地局装置及び移動通信方法を提供することにある。
【課題を解決するための手段】
【００１４】
（１）  本発明は、上記課題を解決するためになされたもので、本発明の一態様による移動通信システムは、移動局装置と基地局装置とを備える移動通信システムであって、前記移動局装置は、前記基地局装置の送信信号の測定結果から下り同期誤りの発生を検出する下り同期誤り検出部と、前記移動局装置の下り同期状態、又は下り同期状態と上り同期状態に基づき下り同期誤りの発生を示す情報をランダムアクセスチャネルに設定する同期監視部と、前記ランダムアクセスチャネルを前記基地局装置へ送信する下り同期誤り通知部とを備え、前記基地局装置は、前記移動局装置からのランダムアクセスチャネルを受信し、前記ランダムアクセスチャネルに設定された下り同期誤りの発生を示す制御情報の取得処理を実行し、前記下り同期誤りの発生を示す情報に基づくスケジューリングを行う適応制御部を備える。【００１５】
（２）  また、本発明の一態様による移動通信システムの前記移動局装置は、前記移動局装置の下り同期状態が下り同期誤りの発生を少なくとも一回検出した状態であれば、前記基地局装置に対して下り同期誤りの発生を示す情報をランダムアクセスチャネルに設定する。【００１６】
（３）  また、本発明の一態様による移動通信システムの前記移動局装置は、前記移動局装置の下り同期状態が下り同期誤りの発生を所定回数又は所定時間連続して検出している状態であれば、前記基地局装置に対して下り同期誤りの発生を示す情報をランダムアクセスチャネルに設定する。【００１７】
（４）  また、本発明の一態様による移動通信システムの前記移動局装置は、前記移動局装置の上り同期状態が上り送信タイミングを示す上りタイミング調整制御データを受信してから所定の時間内の状態であり、更に前記移動局装置の下り同期状態が下り同期誤りを少なくとも一回検出した状態であれば、前記基地局装置に対して下り同期誤りの発生を示す情報をランダムアクセスチャネルに設定する。【００１８】
（５）  また、本発明の一態様による移動通信システムの前記移動局装置は、前記基地局装置に対して下り同期誤りの発生を通知した後、所定時間が経過するたびに前記基地局装置に対してランダムアクセスチャネルを用いて下り同期誤りの発生を繰り返し送信する。【００１９】
（６）  また、本発明の一態様による移動通信システムの前記基地局装置は、前記移動局装置から下り同期誤りの発生を通知されると同時に下り同期外れまでの時間を計時するタイマを起動し、前記タイマが満了するまで、又は、下り同期誤りが回復するまでの期間において、前記移動局装置への送信信号に対して下り同期誤りの通知前よりも誤り訂正能力の高い変調方式を用いる、又は、送信電力を増加させるスケジューリングを行う。【００２０】
（７）  また、本発明の一態様による移動通信システムの前記基地局装置は、前記移動局装置から下り同期誤りの発生を通知されると同時に下り同期外れまでの時間を計時するタイマを起動し、前記タイマが満了したときに、以降の前記移動局装置に対する送信を停止するスケジューリングを行う。【００２１】
（８）  また、本発明の一態様による移動局装置は、基地局装置と通信する移動局装置であって、前記基地局装置の送信信号の測定結果から下り同期誤りの発生を検出する下り同期誤り検出部と、前記移動局装置の下り同期状態、又は下り同期状態と上り同期状態に基づき下り同期誤りの発生を示す情報をランダムアクセスチャネルに設定する同期監視部と、前記ランダムアクセスチャネルを前記基地局装置へ送信する下り同期誤り通知部とを備える。【００２２】
（９）  また、本発明の一態様による移動局装置の前記同期監視部は、移動局装置の下り同期状態が下り同期誤りの発生を少なくとも一回検出した状態であれば、下り同期誤りの発生を示す情報をランダムアクセスチャネルに設定する。【００２３】
（１０）  また、本発明の一態様による移動局装置の前記同期監視部は、前記移動局装置の下り同期状態が下り同期誤りの発生を所定回数又は所定時間連続して検出している状態であれば、下り同期誤りの発生を示す情報をランダムアクセスチャネルに設定する。【００２４】
（１１）  また、本発明の一態様による移動局装置の前記同期監視部は、前記移動局装置の上り同期状態が上り送信タイミングを示す上りタイミング調整制御データを受信してから所定の時間内の状態であり、更に前記移動局装置の下り同期状態が下り同期誤りを少なくとも一回検出した状態であれば、下り同期誤りの発生を示す情報をランダムアクセスチャネルに設定する。【００２５】
（１２）  また、本発明の一態様による移動局装置の前記下り同期誤り通知部は、前記基地局装置に対して下り同期誤りの発生を通知した後、所定時間が経過するたびに前記基地局装置に対してランダムアクセスチャネルを用いて下り同期誤りの発生を繰り返し通知する。【００２６】
（１３）  また、本発明の一態様による基地局装置は、移動局装置と通信する基地局装置であって、前記移動局装置から下り同期誤りの発生を通知されると同時に下り同期外れまでの時間を計時するタイマを起動し、前記タイマが満了するまで、又は下り同期誤りが回復するまでの期間において、前記下り同期誤りの発生を示す情報に基づくスケジューリングを行う適応制御部を備える。【００２７】
（１４）  また、本発明の一態様による基地局装置の前記適応制御部は、前記移動局装置への送信信号に対して下り同期誤りの通知前よりも誤り訂正能力のより高い変調方式を用いる、又は、送信電力を増加させるスケジューリングを行う。【００２８】
（１５）  また、本発明の一態様による基地局装置の前記適応制御部は、前記移動局装置から下り同期誤りの発生を通知されると同時に下り同期外れまでの時間を計時するタイマを起動し、前記タイマが満了したときに、以降の前記移動局装置に対する送信を停止するスケジューリングを行う。【００２９】
（１６）  また、本発明の一態様による移動通信方法は、移動局装置と基地局装置とを用いた移動通信方法であって、前記移動局装置は、前記基地局装置の送信信号の測定結果から下り同期誤りの発生を検出する下り同期誤り検出過程と、前記移動局装置の下り同期状態、又は下り同期状態と上り同期状態に基づき下り同期誤りの発生を示す情報をランダムアクセスチャネルに設定する同期監視過程と、前記ランダムアクセスチャネルを前記基地局装置へ送信する下り同期誤り通知過程とを有し、前記基地局装置は、前記移動局装置からのランダムアクセスチャネルを受信し、前記ランダムアクセスチャネルに設定された下り同期誤りの発生を示す制御情報の取得処理を実行し、前記下り同期誤りの発生を示す情報に基づくスケジューリングを行う適応制御過程を有する。【００３０】
（１７）  また、本発明の一態様による移動通信方法の前記同期監視過程では、前記移動局装置の下り同期状態が下り同期誤りの発生を少なくとも一回検出した状態であれば、前記基地局装置に対して下り同期誤りの発生を示す情報をランダムアクセスチャネルに設定する。【００３１】
（１８）  また、本発明の一態様による移動通信方法の前記同期監視過程では、前記移動局装置の下り同期状態が下り同期誤りの発生を所定回数又は所定時間連続して検出している状態であれば、前記基地局装置に対して下り同期誤りの発生を示す情報をランダムアクセスチャネルに設定する。【００３２】
（１９）  また、本発明の一態様による移動通信方法の前記同期監視過程では、前記移動局装置の上り同期状態が上り送信タイミングを示す上りタイミング調整制御データを受信してから所定の時間内の状態であり、更に前記移動局装置の下り同期状態が下り同期誤りを少なくとも一回検出した状態であれば、前記基地局装置に対して下り同期誤りの発生を示す情報をランダムアクセスチャネルに設定する。【００３３】
（２０）  また、本発明の一態様による移動通信方法の前記下り同期誤り通知過程では、前記基地局装置に対して下り同期誤りの発生を通知した後、所定時間が経過するたびに前記基地局装置に対してランダムアクセスチャネルを用いて下り同期誤りの発生を繰り返し通知する。【００３４】
（２１）  また、本発明の一態様による移動通信方法の前記適応制御過程では、前記移動局装置から下り同期誤りの発生を通知されると同時に下り同期外れまでの時間を計時するタイマを起動し、前記タイマが満了するまで、又は下り同期誤りが回復するまでの期間において、前記移動局装置への送信信号に対して下り同期誤りの通知前よりも誤り訂正能力のより高い変調方式を用いる、又は、送信電力を増加させるスケジューリングを行う。【００３５】
（２２）  また、本発明の一態様による移動通信方法の前記適応制御過程では、前記移動局装置から下り同期誤りの発生を通知されると同時に下り同期外れまでの時間を計時するタイマを起動し、前記タイマが満了したときに、以降の前記移動局装置に対する送信を停止するスケジューリングを行う。
【発明の効果】
【００３６】
本発明の移動通信システム、移動局装置、基地局装置及び移動通信方法では、移動局装置で下り同期誤りが発生した場合であっても、早期に基地局装置と移動局装置との間で通信品質が良好な状態で通信を行うことができる。
【図面の簡単な説明】
【００３７】
【図１】本発明の実施形態において使用する無線フレームの構成の一例を示す図である。
【図２】本発明の実施形態において使用する上りスロットの構成の一例を示す図である。
【図３】本発明の実施形態における上りチャネルの構成の一例を示す図である。
【図４】本発明の第１の実施形態による移動局装置１０ａの構成の一例を示すブロック図である。
【図５】本発明の第１の実施形態による基地局装置３０ａの構成の一例を示すブロック図である。
【図６】第１の実施形態における移動局装置１０ａの基地局装置３０ａに対する送信とその後の受信の処理について説明するための図である。
【図７】本発明の第１の実施形態による移動通信システムの処理を示すシーケンス図である。
【図８】第１の実施形態における移動局装置１０ａの基地局装置３０ａに対する送信とその後の受信の処理の他の一例について説明するための図である。
【図９】本発明の第１の実施形態における移動局装置１０ａの処理の一例を示すフローチャートである。
【図１０】本発明の第１の実施形態における基地局装置３０ａの処理の一例を示すフローチャートである。
【図１１】本発明の第２の実施形態による移動局装置１０ｂの構成の一例を示すブロック図である。
【図１２】本発明の第２の実施形態による基地局装置３０ｂの構成の一例を示すブロック図である。
【図１３】第２の実施形態における移動局装置１０ｂの基地局装置３０ｂに対する送信とその後の受信の処理について説明するための図である。
【図１４】本発明の第２の実施形態による移動通信システムの処理を示すシーケンス図である。
【図１５】第２の実施形態における移動局装置１０ｂの基地局装置３０ｂに対する送信とその後の受信の処理の他の一例について説明するための図である。
【図１６】本発明の第３の実施形態による移動局装置１０ｃの構成の一例を示すブロック図である。
【図１７】本発明の第３の実施形態による基地局装置３０ｃの構成の一例を示すブロック図である。
【図１８】第３の実施形態における移動局装置１０ｃの基地局装置３０ｃに対する送信とその後の受信の処理について説明するための図である。
【図１９】本発明の第３の実施形態による移動通信システムの処理を示すシーケンス図である。
【図２０】従来の技術における移動局装置の基地局装置に対する送信とその後の受信の処理について説明するための図である。
【図２１】従来の技術における移動局装置の基地局装置に対する送信とその後の受信の処理について説明するための図である。
【図２２】従来の技術における移動局装置の基地局装置に対する送信とその後の受信の処理について説明するための図である。
【図２３】従来の技術における移動通信システムの処理を示すシーケンス図である。
【図２４】従来の技術における移動通信システムの処理を示すシーケンス図である。
【図２５】従来の技術における移動通信システムの処理を示すシーケンス図である。
【符号の説明】
【００３８】
１０ａ〜１０ｃ・・・移動局装置、
１１ａ〜１１ｃ・・・受信部、
１２ａ〜１２ｃ・・・タイミング追尾部、
１３ａ〜１３ｃ・・・チャネル復調部、
１４ａ〜１４ｃ・・・スケジュール部、
１５ａ〜１５ｃ・・・制御信号処理部、
１６ａ〜１６ｃ・・・復号部、
１７ａ〜１７ｃ・・・チャネル測定部、
１８ａ〜１８ｃ・・・タイミング調整部、
１９ａ〜１９ｃ・・・ＣＱＩ計算部、
２０ａ〜２０ｃ・・・上位レイヤ、
２１ａ〜２１ｃ・・・同期監視部、
２２ａ〜２２ｃ・・・符号部、
２３ａ〜２３ｃ・・・ランダムアクセス制御部、
２４ａ〜２４ｃ・・・チャネル変調部、
２５ａ〜２５ｃ・・・送信電力制御部、
２６ａ〜２６ｃ・・・送信部、
２７ａ〜２７ｃ・・・下り同期誤り検出部、
３０ａ〜３０ｃ・・・基地局装置、
３１ａ〜３１ｃ・・・受信部、
３２ａ〜３２ｃ・・・タイミング追尾部、
３３ａ〜３３ｃ・・・チャネル復調部、
３４ａ〜３４ｃ・・・スケジュール部、
３５ａ〜３５ｃ・・・制御信号処理部、
３６ａ〜３６ｃ・・・復号部、
３７ａ〜３７ｃ・・・チャネル測定部、
３８ａ〜３８ｃ・・・上り同期調整要求部、
３９ａ〜３９ｃ・・・ＣＱＩ計算部、
４０ａ〜４０ｃ・・・上位レイヤ、
４１ａ〜４１ｃ・・・符号部、
４２ａ〜４２ｃ・・・チャネル変調部、
４３ａ〜４３ｃ・・・送信電力制御部、
４４ａ〜４４ｃ・・・送信部
【発明を実施するための最良の形態】
【００３９】
図１は、本発明の実施形態（本発明の第１から第３の実施形態）において使用する無線フレームの構成の一例を示す図である。図１では、横軸に時間軸をとっており、縦軸に周波数軸をとっている。無線フレームは、周波数軸を複数のサブキャリアの集合で構成される一定の周波数領域（ＢＲ）と、一定の送信時間間隔（スロット）で構成される領域を一単位として構成されている。
また、１スロットの整数倍から構成される送信時間間隔をサブフレームと呼ぶ。更に、複数のサブフレームをまとめたものをフレームと呼ぶ。図１では、１サブフレームが２スロットから構成される場合を示している。この一定の周波数領域（ＢＲ）と１スロット長で区切られた領域を、基地局装置から移動局装置に対する下りの信号ではリソースブロックと呼び、移動局装置から基地局装置に対する上りの信号ではリソースユニットと呼ぶ。
図１中のＢＷはシステム帯域幅を示しており、ＢＲはリソースブロック（またはリソースユニット）の帯域幅を示している。【００４０】
図２は、本発明の実施形態において使用する上りスロットの構成の一例を示す図である。図２では、横軸に時間軸をとっており、縦軸に周波数軸をとっている。上りスロットは複数のシンボルから構成され、１サブキャリアと１シンボルから構成された最小リソースの構成をリソースエレメントと呼ぶ。図中のＢＲはリソースユニットの帯域幅を表す。図２は、上り１スロットが７シンボルから構成される場合を示している。
なお、実際の移動通信システムでは、リソースユニットの構成が図２と異なっていても良い。例えば１スロットが７シンボルではなく、他のシンボル数で構成されていても良い。【００４１】
次に、本発明の実施形態で使用する物理チャネルとその役割について説明する。物理チャネルは、データチャネルと制御チャネルとに分けられる。制御チャネルには、同期チャネル、報知情報チャネル、ランダムアクセスチャネル、下りリファレンスシグナル、上りリファレンスシグナル、下り共用制御チャネル、上り共用制御チャネルがある。
同期チャネルは、移動局装置が基地局装置と無線同期を取るために基地局装置から既知の信号パターンを送信するための下りチャネルであり、ＥＵＴＲＡにおいて移動局装置のセルサーチ手順のために受信するチャネルである。この同期チャネルを使用して信号を送信するのは基地局装置である。
報知情報チャネルは、特定の移動局装置向けではなく、あるエリア内に位置する移動局装置が共通して使用する情報を送信するための下りチャネルである。移動局装置は報知情報チャネルによって周辺セルの情報などを取得する。この報知情報チャネルを使用して信号を送信するのは基地局装置である。【００４２】
ランダムアクセスチャネル（ＲＡＣＨ：Random Access Channel）は、非同期ランダムアクセスチャネルと同期ランダムアクセスチャネルとに分類される、非同期ランダムアクセスチャネルは、移動局装置が上り同期が取れておらず、使用可能な無線リソースがスケジューリングされていない場合での上り送信を行うために使用される上りチャネルである。このランダムアクセスチャネルを使用して信号を送信するのは移動局装置である。
非同期ランダムアクセスチャネルは、互いに直交するデータ系列を用い、この直交データ系列を送信することによって、上り送信タイミングが同一であっても、異なる直交データ系列であれば基地局装置にて無線信号を分離可能としている。前記直交データ系列をシグネチャと呼び、シグネチャから構成される信号をプリアンブルと呼ぶ。このシグネチャは、基地局装置が移動局装置を識別するために使用される。【００４３】
ＥＵＴＲＡにおいて、非同期ランダムアクセスチャネルは、移動局装置の位置登録、ハンドオーバ先の基地局装置へのハンドオーバに関する情報の通知、無線リソースの要求、間欠送信時におけるデータ送信、上り無線同期の維持などを目的として使用され、更に非同期ランダムアクセスチャネルで前記使用目的や品質情報指標（ＣＱＩ：Channel Quality Indicator）を移動局装置から基地局装置に通知し、以降のリソース割当やスケジューリングを最適化する。
一方、上り同期が取れている場合でも、無線リソースのスケジューリングがない状態で送信するランダムアクセスチャネルを同期ランダムアクセスチャネルと呼ぶ。【００４４】
下りリファレンスシグナル（ＤＬ−ＲＳ：Downlink Reference Signal）は、基地局装置から移動局装置へ下りチャネルを利用して送信される。移動局装置は下りリファレンスシグナルを測定することで下りの受信品質を判定する。受信品質は、品質情報指標であるＣＱＩとして上り共用制御チャネルを用いて基地局装置へ通知される。基地局装置は移動局装置から通知されたＣＱＩに基づいて、移動局装置に対する下りのスケジューリングを行う。
なお、受信品質としては、ＳＩＲ（Signal-to-Interference Ratio：信号対干渉電力比）、ＳＩＮＲ（Signal-to-Interference plus Noise Ratio：信号対干渉雑音電力比）、ＳＮＲ（Signal-to-Noise Ratio：信号対雑音電力比）、ＣＩＲ（Carrier-to-Interference Ratio：搬送波対干渉電力比）、ＢＬＥＲ（Block Error Rate：ブロック誤り率）、パスロスなどを使用することができる。【００４５】
上りリファレンスシグナル（ＵＬ−ＲＳ：Uplink Reference Signal）は、移動局装置から基地局装置へ上りチャネルを利用して送信される。基地局装置は上りリファレンスシグナルを測定することで、移動局装置の上り無線送信信号の受信品質を判定する。基地局装置は、受信品質に基づいて上りのスケジューリングを行う。上りリファレンスシグナルは、上りデータチャネルの振幅、位相や周波数の変動量を計算し、上りデータチャネルを利用して送信された信号を復調するための参照信号としても使用される。【００４６】
下り共用制御チャネル（ＰＤＣＣＨ：Physical Downlink Control Channel）は、基地局装置から移動局装置へ送信される下りチャネルであり、複数の移動局装置に対して共通に使用される。基地局装置は、送信タイミング情報やスケジューリング情報（上り／下りリソース割当て情報）の送信に下り共用制御チャネルを用いる。
上り共用制御チャネル（ＰＵＣＣＨ：Physical Uplink Control Channel）は、移動局装置から基地局装置への信号の送信に利用される上りチャネルである。移動局装置は、品質情報指標（ＣＱＩなど）、ＨＡＲＱ（Hybrid Auto Repeat Request：ハイブリッドＡＲＱ）、ＡＣＫ／ＮＡＣＫ（Acknowledge/Not Acknowledge）などの情報を基地局装置に通知するために、上り共用制御チャネルを用いる。【００４７】
図３は、本発明の実施形態における上りチャネルの構成の一例を示す図である。図３では、横軸に周波数軸をとっており、縦軸に時間軸をとっている。図３中のＢＷはシステム帯域幅を表しており、ＢＲはリソースユニットの帯域幅を表している。上りリファレンスシグナルＡ１は、毎サブフレームの先頭シンボルに配置されている。また、上り共用制御チャネルにより送信する信号Ａ２は、システム帯域幅の両側に配置されている。それ以外の無線リソースには、データチャネルにより送信する信号Ａ３が配置されている。
なお、実際の移動通信システムにおける上りチャネルの構成は、図３と異なっていても良い。例えば、上りリファレンスシグナルＡ１や上り共用制御チャネルにより送信する信号Ａ２を、周波数軸上に分散配置しても、時間軸上に周期的に配置しても良い。【００４８】
（第１の実施形態）
次に、本発明の第１の実施形態による移動通信システムについて説明する。移動通信システムは、移動局装置１０ａ（後述する図４参照）と基地局装置３０ａ（後述する図５参照）とを備えている。【００４９】
図４は、本発明の第１の実施形態による移動局装置１０ａの構成の一例を示すブロック図である。この移動局装置１０ａは、受信部１１ａ、タイミング追尾部１２ａ、チャネル復調部１３ａ、スケジュール部１４ａ、制御信号処理部１５ａ、復号部１６ａ、チャネル測定部１７ａ、タイミング調整部１８ａ、ＣＱＩ計算部１９ａ、上位レイヤ２０ａ、同期監視部２１ａ、符号部２２ａ、ランダムアクセス制御部２３ａ、チャネル変調部２４ａ、送信電力制御部２５ａ、送信部２６ａ、下り同期誤り検出部２７ａを備えている。【００５０】
基地局装置３０ａが送信する無線送信信号であって、移動局装置１０ａが受信する無線受信信号は、受信部１１ａにおいて受信される。無線受信信号はタイミング追尾部１２ａに出力され、追尾の結果の信号が受信部１１ａに戻されることにより、シンボルタイミングのずれが調整される。また、無線受信信号はチャネル復調部１３ａへと出力され、スケジュール部１４ａより入力されるスケジューリング情報に基づいて復調され、データチャネルの信号、制御チャネルの信号、下りリファレンスシグナルに分類される。分類された各チャネルの信号は、データチャネルの信号であれば復号部１６ａへ、制御チャネルの信号であれば制御信号処理部１５ａへ、下りリファレンスシグナルであればチャネル測定部１７ａへと送信される。なお、前記以外のチャネルの信号の場合、復号部１６ａ、制御信号処理部１５ａ、チャネル測定部１７ａに所要に応じてそれぞれ出力される。【００５１】
復号部１６ａは、チャネル復調部１３ａが復調した信号から、ユーザデータを取り出して上位レイヤ２０ａへ出力する。制御信号処理部１５ａは、チャネル復調部１３ａが復調した信号から、制御データを取り出して上位レイヤ２０ａへと出力する。取り出された制御データに、上り送信タイミングの調整を行うための同期データ（上りタイミング調整制御データ）が含まれている場合、上りタイミング調整制御データはタイミング調整部１８ａへ出力される。
タイミング調整部１８ａは、上り送信タイミングのずれを上りタイミング調整制御データから計算し、送信部２６ａの上り送信タイミングを調整する。また、制御チャネルに含まれるスケジューリング情報は、スケジュール部１４ａへと出力される。チャネル測定部１７ａでは、下りリファレンスシグナルの受信品質を測定し、測定データとして上位レイヤ２０ａへ出力すると共に、ＣＱＩ計算部１９ａに前記受信品質を出力する。ＣＱＩ計算部１９ａは、受信品質からＣＱＩを計算してＣＱＩ値として上位レイヤ２０ａへ出力する。
なお、ＣＱＩ計算部１９ａにおけるＣＱＩの計算方法としては、下りリファレンスシグナルの瞬時値から毎回求める方法や、ある所定の受信時間を平均して求める方法などを用いることができる。また、サブキャリア単位でＣＱＩを計算しても良いし、ある受信帯域に亘って平均してＣＱＩを計算しても良い。下り同期誤り検出部２７ａは、各チャネルの受信品質が入力され、下り同期誤りの判定処理が行わる。判定結果は下り同期データとして上位レイヤ２０ａに入力される。なお、下り同期データには、下り同期誤りの検出と下り同期状態の情報が含まれている。【００５２】
一方、上位レイヤ２０ａからはユーザデータと制御データが符号部２２ａに入力され、無線送信信号として符号化される。制御データは、上りリファレンスシグナルと上り共用制御チャネルの信号を含む。また、上位レイヤ２０ａからスケジュール部１４ａへスケジューリング情報が入力される。スケジューリング情報には、上りチャネル及び下りチャネルに関する送受信のタイミングや多重方法、変調又は復調の情報が含まれている。
また、移動局装置１０ａから基地局装置３０ａに対するランダムアクセスチャネルによる信号の送信時は、ランダムアクセス制御部２３ａにランダムアクセスチャネルの使用理由などの所定のランダムアクセス情報が入力され、プリアンブルの選択が行われた後に符号部２２ａで符号化される。符号部２２ａにて符号化された各無線送信信号はチャネル変調部２４ａに入力される。同期監視部２１ａは、下り同期の状態が誤り検出区間に遷移した場合に上位レイヤ２０ａから誤り検出区間開始制御情報が入力される。前記誤り検出区間開始制御情報が入力された同期監視部２１ａは、ランダムアクセスチャネルを用いて誤り検出区間の遷移を基地局装置３０ａに通知するために必要なランダムアクセス情報を生成し、前記ランダムアクセス情報をランダムアクセス制御部２３ａに入力する。
チャネル変調部２４ａは、スケジュール部１４ａから送信されるスケジューリング情報に従って、無線送信信号を適切な変調方式で変調処理する。送信電力制御部２５ａは、スケジュール部１４ａの指示に従って信号を送信部２６ａに出力して各チャネルに適切な電力制御を行う。チャネル変調部２４ａで変調されたデータは送信部２６ａに入力され、送信電力制御部２５ａから電力制御されて無線送信信号として送信される。なお、図４の各ブロックの動作は、上位レイヤ２０ａによって統括的に制御される。【００５３】
図５は、本発明の第１の実施形態による基地局装置３０ａの構成の一例を示すブロック図である。この基地局装置３０ａは、受信部３１ａ、タイミング追尾部３２ａ、チャネル復調部３３ａ、スケジュール部３４ａ、制御信号処理部３５ａ、復号部３６ａ、チャネル測定部３７ａ、上り同期調整要求部３８ａ、ＣＱＩ計算部３９ａ、上位レイヤ４０ａ、符号部４１ａ、チャネル変調部４２ａ、送信電力制御部４３ａ、送信部４４ａを備えている。【００５４】
移動局装置１０ａが送信する無線送信信号であって、基地局装置３０ａが受信する無線受信信号は、受信部３１ａにおいて受信される。無線受信信号はタイミング追尾部３２ａに出力され、追尾の結果の信号が受信部３１ａに戻されることにより、シンボルタイミングのずれが調整される。また、無線受信信号はチャネル復調部３３ａへと出力され、スケジュール部３４ａからのスケジューリング情報に基づいて、データチャネルの信号、制御チャネルの信号、上りリファレンスシグナルに分けられ、それぞれ復調される。復調された各データは、データチャネルの信号であれば復号部３６ａへ、制御チャネルの信号であれば制御信号処理部３５ａへ、上りリファレンスシグナルであればチャネル測定部３７ａへと出力される。なお、チャネル復調部３３ａは、制御処理部３５ａの出力によっても制御される。
なお、データチャネルの信号、制御チャネルの信号、上りリファレンスシグナル以外の信号の場合、制御信号処理部３５ａ、復号部３６ａ、チャネル測定部３７ａにそれぞれ所要に応じて出力される。【００５５】
復号部３６ａでは、制御信号処理部３５ａの出力である制御信号に基づいて、ユーザデータの復号処理を行い上位レイヤ４０ａへ出力する。制御信号処理部３５ａでは、制御データを取り出して上位レイヤ４０ａへと出力する。また、チャネル復調部３３ａと復号部３６ａの制御データや、スケジュールリングの制御に関連する制御データは各ブロックへ出力される。
チャネル測定部３７ａは、上りリファレンスシグナルに基づいて受信品質を測定し、測定データとして上位レイヤ４０ａへ出力すると共に、ＣＱＩ計算部３９ａに前記受信品質を出力する。ＣＱＩ計算部３９ａは、受信品質からＣＱＩを計算してＣＱＩ値として上位レイヤ４０ａへ出力する。また、チャネル測定部３７ａの出力は、チャネル復調用の参照データとしてチャネル復調部３３ａにも出力される。【００５６】
一方、上位レイヤ４０ａからの送信要求を契機として、ユーザデータと制御データが符号部４１ａに入力される。制御データは、同期チャネルの信号や報知情報チャネルの信号、下りリファレンスシグナル、下り共用制御チャネルの信号を含んでいる。更に、上り同期調整要求部３８ａから上りタイミング調整制御データが符号部４１ａに入力される。上り同期調整要求部３８ａは、制御信号処理部３５ａの出力である同期データとチャネル測定部３７ａの出力である測定データに基づいて、上りタイミング調整制御データを出力する。
また、上位レイヤ４０ａよりスケジュール部３４ａへスケジューリング情報が入力される。符号部４１ａにて符号化されたユーザデータと制御データ、上りタイミング調整制御データはチャネル変調部４２ａに入力される。チャネル変調部４２ａは、スケジュール部３４ａから送信されるスケジューリング情報に従って、各無線送信信号を適切な変調方式で変調処理する。送信電力制御部４３ａは、スケジュール部３４ａの指示に従って信号を送信部４４ａに出力し、各チャネルに適切な電力制御を行う。チャネル変調部４２ａで変調されたデータは送信部４４ａに入力され、送信電力制御部４３ａから電力制御されて、移動局装置１０ａに対して無線送信信号として送信される。なお、図５の各ブロックの動作は、上位レイヤ４０ａによって統括的に制御される。【００５７】
図６（ａ）、図６（ｂ）は、第１の実施形態における移動局装置１０ａの基地局装置３０ａに対する送信（図６（ａ））とその後の受信（図６（ｂ））の処理について説明するための図である。図６（ａ）及び図６（ｂ）において、横軸は時間を示している。
移動局装置１０ａでの受信処理（図６（ｂ））と、移動局装置１０ａでの送信処理（図６（ａ））との間には、時間Ｔ１０（例えば、３ミリ秒）の上り／下り時間差が生じる。【００５８】
第１の実施形態では、ランダムアクセスチャネルを用い、移動局装置１０ａから基地局装置３０ａに対して信号を送信するタイミングは、下り同期誤りを検出した後（時刻ｔ１１）、すなわち下り同期の状態が同期区間Ｐ０１から誤り検出区間Ｐ０２に遷移した後の直近のランダムアクセスチャネルの上り送信タイミングである。
これは、下り同期と上り同期とは別個に制御されるため、下り同期誤りを最初に検出した段階では、まだ上り同期が維持されている可能性が高いことを利用したものである。
移動局装置１０ａは、下り同期誤りを検出してから（時刻ｔ１１）、最も直近のランダムアクセスチャネルによる信号の上り送信タイミングで（時刻ｔ１２）、ランダムアクセスチャネルを利用して基地局装置３０ａに対して信号を送信する（ステップＳ００１）。
このとき、送信するランダムアクセスチャネルの信号には、ランダムアクセスチャネルによる信号の送信目的についての情報とＣＱＩ値とが含まれる。なお、ＣＱＩ値の代わりに受信品質が所定の閾値よりも高いか低いかを表すビットを通知する方法もある。【００５９】
移動局装置１０ａは、ランダムアクセスチャネルによる信号の送信目的として、下り同期誤りが検出されたことを示す情報を設定し、基地局装置３０ａに通知する。下り同期誤りが検出されたことを示す情報は、無線送信信号として直接、基地局装置３０ａに通知しても良いし、ランダムアクセスチャネルの信号のプリアンブル番号や系列、送信周波数領域などで間接的に通知しても良い。例えば、下り同期誤り検出の通知するための情報に、プリアンブル番号の１〜４番を割り当てておく方法がある。また、下り同期誤り検出を通知するときは、ランダムアクセスチャネルの系列を反転したり、巡回シフトしたりする方法がある。また、同期誤り検出のためのランダムアクセスチャネルを送信する送信周波数領域を予約しておき、その周波数領域で送信する方法がある。
あるいは、特定のＣＱＩ値を、下り同期誤り検出を意味するものとして、移動局装置１０ａと基地局装置３０ａとの間で予め設定しておいても良い。ランダムアクセスチャネルによる信号の送信目的と、下り同期誤りが検出されたことを示す情報との関連付けの情報は、移動局装置１０ａと基地局装置３０ａとの間で一意に設定するようにしても良いし、報知情報チャネルによる信号を用いて基地局装置３０ａから移動局装置１０ａに報知するようにしても良いし、基地局装置３０ａから移動局装置１０ａ毎に個別に通知するようにしても良い。【００６０】
前述したように、ランダムアクセスチャネルには非同期ランダムアクセスチャネルと同期ランダムアクセスチャネルが存在するが、いずれのチャネルを用いて上述の信号を移動局装置１０ａから基地局装置３０ａに対して送信しても良い。
なお、移動局装置１０ａにおける下り同期誤りの検出方法としては、下り同期誤り検出部２７ａが、基地局装置３０ａから送信される信号の受信品質が所定の閾値よりも低下した場合に下り同期誤りを検出したと判定する。
なお、移動局装置１０ａにおける下り同期誤りの検出方法には、任意の下りチャネルを用いることができる。下り同期誤りの検出方法としては、下りチャネルの品質（前述のＳＩＲ、ＳＩＮＲ、ＳＮＲ、ＣＩＲ、ＢＬＥＲ、パスロス、ビット誤り率など）の少なくとも一つをある時間測定し、移動通信システム内で事前に設定された閾値、又は、測定開始前に基地局装置３０ａから移動局装置１０ａに通知される閾値と比較することで判定を行う方法なども用いることができる。
移動局装置１０ａは、下り同期の状態が、誤り検出区間Ｐ０２から同期保護区間Ｐ０３に遷移したときは（時刻ｔ１３）、以降のデータ信号送信停止区間において、スケジューリングされている上りデータチャネルによる信号の送信を停止し（時刻ｔ１４）、下り同期の回復処理を行う。【００６１】
図７は、本発明の第１の実施形態による移動通信システムの処理を示すシーケンス図である。図７は、下り同期外れ発生時の移動局装置１０ａと基地局装置３０ａの下り同期状態の遷移と、関連する無線制御の処理について示している。図７の処理は、移動局装置１０ａと基地局装置３０ａが互いに通信を行っている同期区間Ｐ０１、Ｐ０５の状態から開始している。
下り品質劣化などの理由によって移動局装置１０ａ側の下り同期状態が、同期区間Ｐ０１から誤り検出区間Ｐ０２に遷移したとき、移動局装置１０ａの無線制御として、ランダムアクセスチャネル（ＲＡＣＨ）にＣＱＩ値と、送信目的として下り同期誤りを検出したことを示す情報とを乗せて基地局装置３０ａへ通知する（ステップＳ１０１、Ｓ１０２、Ｓ１０３）。
なお、基地局装置３０ａはランダムアクセスチャネルに、下り同期誤りを検出したことを示す情報が設定されていなくても、移動局装置１０ａの下り同期状態が同期区間Ｐ０１であれば、送信されないランダムアクセスチャネルの信号を受信したことにより、移動局装置１０ａにおいて下り同期誤りが発生したと判定しても良い。【００６２】
前記ランダムアクセスチャネルによる信号を移動局装置１０ａから受信した基地局装置３０ａは、下り同期状態を、同期区間Ｐ０５から誤り検出区間Ｐ０６へと遷移させ、同時にタイマを起動する（ステップＳ１０４）。本実施形態では、タイマは、予め設定された時間Ｔａ１（例えば、３秒）を計測する。また、基地局装置３０ａのチャネル変調部４２ａは、基地局装置３０ａから移動局装置１０ａに対して送信する下りデータに対して適応制御を行う（ステップＳ１０５、Ｓ１０６）。ここで、タイマが計測する時間Ｔａ１は、誤り検出区間Ｐ０６の時間と、ランダムアクセスチャネルの信号の最大送信遅延時間とに基づいて決定される。【００６３】
基地局装置３０ａは、移動局装置１０ａからランダムアクセスチャネルを利用して、下り同期誤りを検出したことが通知されたとき（ステップＳ１０１、Ｓ１０２、Ｓ１０３）、その通知された情報に基づいて、移動局装置１０ａに対して送信する信号に対して次の適応制御を行う。
ランダムアクセスチャネルにより通知されたＣＱＩ値が、移動局装置１０ａから前回通知されたＣＱＩ値よりも低い場合、誤り訂正能力の高い変調方式にチャネル変調部４２ａによって切り替えたり、下り送信電力を送信電力制御部４３ａによって増加させたり、それらの両方を行うことにより、基地局装置３０ａが移動局装置１０ａに送信する信号の下り品質を向上させることで移動局装置１０ａの下り同期を回復しやすくする。例えば、チャネル変調部４２ａは、６４ＱＡＭ（64 Quadrature Amplitude Modulation：６４値直交振幅変調）からＢＰＳＫ（Binary Phase Shift Keying：２相位相偏移変調）に切り替えることにより、誤り訂正能力の高い変調方式に切り替える。
なお、その移動局装置１０ａに対してＣＱＩ値が良い無線リソースブロックを優先的に割り当てたり、無線送信信号を広帯域に分散配置（ディストリビューティッド配置）して周波数ダイバーシティ効果を高める送信方法に切り換えたりしても良い。また、移動局装置１０ａ宛の無線リソース割当てを縮小して、無線リソースの利用効率を向上させても良い。一方、移動局装置１０ａから基地局装置３０ａに通知されたＣＱＩ値が、移動局装置１０ａから前回通知されたＣＱＩ値とほぼ同じであるか上回る場合、一時的な品質劣化による下り同期誤りと判定して、通常の無線リソース割当とスケジューリングを継続しても良い。【００６４】
前記適応制御を行っても移動局装置１０ａの下り同期が回復せず、そのまま誤り検出区間Ｐ０２が終了したとき、移動局装置１０ａ側の下り同期状態は、誤り検出区間Ｐ０２から同期保護区間Ｐ０３に遷移する。これにより、移動局装置１０ａの無線部２６ａは、上り送信停止制御を行うことにより（ステップＳ１０７）、移動局装置１０ａから基地局装置３０ａに対する信号の送信を停止する（ステップＳ１０８）。
具体的には、移動局装置１０ａの送信部２６ａ（移動局装置送信部とも称する）は、下り同期誤り検出部２７ａが、下り同期誤りを所定回数（例えば、５回など）又は所定時間（例えば、１０ミリ秒）検出した場合に、基地局装置３０ａに対するデータ信号の送信を停止する。このような処理を行うことにより、移動局装置１０ａと基地局装置３０ａとの通信品質が悪い状態で、移動局装置１０ａが基地局装置３０ａに対してデータ信号を送信することを防ぐことができる。【００６５】
更に同期保護区間Ｐ０３が終了しても下り同期が回復しない場合、移動局装置１０ａ側の下り同期状態は、同期保護区間Ｐ０３から再接続区間Ｐ０４に遷移する。移動局装置１０ａの無線部２６ａは、下り同期誤り検出部２７ａが下り同期外れを検出したことを通知されることによって（ステップＳ１０９）、セルリセレクション制御を開始する。【００６６】
一方、基地局装置３０ａは、タイマが計測する時間Ｔａ１が満了したとき（ステップＳ１１０）、基地局装置３０ａの下り同期状態を、誤り検出区間Ｐ０６から再接続区間Ｐ０７に遷移させ、移動局装置１０ａに対して割り振っていた上り無線リソースを解放し、他の移動局装置に割り振る。また、ＨＡＲＱによる下りデータ再送を含めた下り送信を（ステップＳ１１１）、全て停止し（ステップＳ１１２、Ｓ１１３）、その分の無線リソースを他の移動局装置へ割り振る。
また、時間Ｔａ１が満了する前であっても、移動局装置１０ａの送信部２６ａ（下り同期誤り通知部とも称する）から下り同期誤りの発生を通知された後、移動局装置１０ａから下り同期誤りの発生を所定時間（例えば、後述する図１０の時間Ｔｒ）通知されなかった場合に、基地局装置３０ａは移動局装置１０ａに対する信号の送信を停止する。【００６７】
なお、タイマが時間Ｔａ１を計測している間に（ステップＳ１１４）、上りリファレンスシグナルの信号や、上り送信タイミング調整のためのランダムアクセスチャネルの信号を、基地局装置３０ａが移動局装置１０ａから受信した場合や、スケジューリングされていた上りデータや、スケジューリング要求などの上りデータを基地局装置３０ａが移動局装置１０ａから正常に受信した場合は、移動局装置１０ａの下り同期が回復したものとみなしてタイマによる時間Ｔａ１の計測を停止し、基地局装置３０ａの下り同期状態を、同期区間Ｐ０５に遷移させて通常の処理に復帰する。【００６８】
図８は、第１の実施形態における移動局装置１０ａの基地局装置３０ａに対する送信（図８（ａ））とその後の受信（図８（ｂ））の処理の他の一例について説明するための図である。図８において、図６と同様の部分については、同一の符号を付してそれらの説明を省略する。
図８では、下り同期誤りを移動局装置１０ａが検出して（時刻ｔ１１）、そのことをランダムアクセスチャネルにより基地局装置３０ａに送信（時刻ｔ１２）した後、時間Ｔ１１（例えば、１０ミリ秒）の一定周期でランダムアクセスチャネルを移動局装置１０ａから基地局装置３０ａに対して繰り返し送信する（ステップＳ００１、Ｓ００２、Ｓ００３、・・・）。【００６９】
移動局装置１０ａは、ランダムアクセスチャネルを基地局装置３０ａに送信すると同時に（時刻ｔ１２）、時間Ｔ１１を計時するタイマを上位レイヤ２０ａで起動する。その後、タイマによる時間Ｔ１１の計測が満了するまでに下り同期が回復、あるいは下り同期外れに至らないときは、基地局装置３０ａへ送信目的についての情報とＣＱＩ値とを含めた無線送信信号を、ランダムアクセスチャネルを利用して送信し、再度、タイマによる時間Ｔ１１の計測を開始する。
タイマが計測する時間Ｔ１１は、事前に基地局装置３０ａから移動局装置１０ａに通知される。ただし、タイマが計測する時間Ｔ１１は、同期保護区間Ｐ０３の時間より短く設定されている。しかし、タイマが計測する時間Ｔ１１を上り同期調整周期と同じ時間にすることもできる。このことにより、上り同期が外れる前にＣＱＩ値を移動局装置１０ａから基地局装置３０ａへ通知できる可能性がより大きくなる。【００７０】
本発明の第１の実施形態では、移動局装置１０ａの下り同期状態が誤り検出区間Ｐ０２へ遷移した後であっても、ＣＱＩ値を一定周期かつ継続的に移動局装置１０ａから基地局装置３０ａに通知することが可能である。そのため、移動局装置１０ａは同期回復後に通常のスケジューリングに即座に復帰することができる。また、基地局装置３０ａは、移動局装置１０ａから一定周期で通知されるＣＱＩ値に基づいて、より同期が回復しやすい適応制御に切り替えることができる。【００７１】
なお、本発明の第１の実施形態において、移動局装置１０ａで図９のフローチャートに示す処理を行うとともに、基地局装置３０ａで図１０のフローチャートに示す処理を行うようにしてもよい。
移動局装置１０ａは、図９に示すように、移動局装置１０ａにおいて下り同期誤りが検出された場合には、ランダムアクセスチャネル（ＲＡＣＨ）を利用して基地局装置３０ａに対して前述の信号を送信し（ステップＳ２０１）、これと同時に、タイマを起動して、時間Ｔｓ（例えば、１０ミリ秒）の計測を開始する（ステップＳ２０２）。タイマには、時間Ｔｓとして、移動局装置１０ａが基地局装置３０ａに対してランダムアクセスチャネルにより信号を送信してから、その信号に対する応答が基地局装置３０ａから移動局装置１０ａに返信されるまでの最大許容時間が設定される。
移動局装置１０ａは、タイマが計測する時間Ｔｓが満了するまで待機し（ステップＳ２０３で「ＮＯ」）、タイマによる時間Ｔｓの計測が満了した時点で（ステップＳ２０３で「ＹＥＳ」）、移動局装置１０ａから基地局装置３０ａに対して直近にランダムアクセスチャネルを用いて送信した信号に対する応答を基地局装置３０ａから受信している場合には、基地局装置３０ａとの上り同期が維持されていると判定して（ステップＳ２０４で「ＹＥＳ」）、図９のフローチャートによる処理を終了する。図９のフローチャートによる処理の終了後は再度、ランダムアクセスチャネルによる信号の上り送信タイミングで、図９と同様の処理を行う。【００７２】
一方、ランダムアクセスチャネルにより送信した信号の応答を、移動局装置１０ａが基地局装置３０ａから受信できない場合には（ステップＳ２０４で「ＮＯ」）、基地局装置３０ａとの上り同期が外れていると判定し、以降はランダムアクセスチャネルを含む全ての上り送信を停止して（ステップＳ２０５）、図９のフローチャートによる処理を終了する。【００７３】
一方、図１０に示すように、基地局装置３０ａが移動局装置１０ａから下り同期誤りが検出されたことを示す信号を、ランダムアクセスチャネル（ＲＡＣＨ）により受信した場合には（ステップＳ３０１）、ランダムアクセスチャネルにより移動局装置１０ａから基地局装置３０ａに送信された信号に対する応答処理を行い（ステップＳ３０２）、基地局装置３０ａから移動局装置１０ａへ必要な情報を送信する。
移動局装置１０ａから受信したランダムアクセスチャネルの信号に対する応答信号には、ＡＣＫ、上りタイミング調整制御データなどが含まれる。また、ランダムアクセスチャネルの信号に対する応答を移動局装置１０ａに対して送信すると同時に、タイマを起動して時間Ｔｒ（例えば、１０ミリ秒）の計測を開始する（ステップＳ３０３）。
タイマが計測する時間Ｔｒは、移動局装置１０ａによるランダムアクセスチャネルを利用した信号の送信時間間隔に、伝播遅延や処理遅延などの各遅延時間を加えた時間に等しくなるように設定されている。このとき、送信時間間隔と上り同期調整周期が同じとしても良い。基地局装置３０ａは、タイマによる時間Ｔｒの計測が満了するまで待機し（ステップＳ３０４で「ＮＯ」）、タイマによる時間Ｔｒの計測が満了した時点で（ステップＳ３０４で「ＹＥＳ」）、ランダムアクセスチャネルを利用した信号を移動局装置１０ａから受信していた場合には（ステップＳ３０５で「ＹＥＳ」）、下り同期が完全には外れていないと判定して、図１０のフローチャートによる処理を終了する。基地局装置３０ａは、図１０のフローチャートによる処理の終了後は再度、図１０と同様の処理を行う。【００７４】
一方、ランダムアクセスチャネルによる信号を、移動局装置から受信していない場合には（ステップＳ３０５で「ＮＯ」）、下り同期が外れていると判定して、以降のランダムアクセスチャネルの受信処理を基地局装置３０ａは停止して（ステップＳ３０６）、図１０のフローチャートによる処理を終了する。【００７５】
移動局装置１０ａで図９の処理を行うとともに、基地局装置３０ａで図１０の処理を行うことで、誤り検出区間や同期保護区間であっても、上りと下りの両方の同期状態を基地局装置３０ａが推測することが可能となり、基地局装置３０ａは推測した上りと下りの同期状態に基づいて効率的なスケジューリングを行うことが可能となる。【００７６】
本発明の第１の実施形態では、移動局装置１０ａにおいて、基地局装置３０ａから送信される信号に基づいて下り同期誤りを下り同期誤り検出部２７ａが検出し、下り同期誤り検出部２７ａが下り同期誤りを検出した場合に下り同期誤りの発生を基地局装置３０ａに対して送信部２６ａ（下り同期誤り通知部とも称する）が通知する。
また、本発明の第１の実施形態では、基地局装置３０ａにおいて、移動局装置１０ａの送信部２６ａから下り同期誤りの発生を通知された場合に、移動局装置に対して送信する信号にチャネル変調部４２ａ又は送信電力制御部４３ａ（適応制御部とも称する）が適応制御を行い、チャネル変調部４２ａが適応制御を行った信号を移動局装置１０ａに対して送信部４４ａ（基地局装置送信部とも称する）が送信する。【００７７】
よって、本発明の第１の実施形態によれば、基地局装置３０ａ側で下り同期誤りが回復し易いように変調方式などを適応制御することにより、移動局装置１０ａで下り同期誤りが発生した場合であっても、早期に基地局装置３０ａと移動局装置１０ａとの間で通信品質が良好な状態で通信を行うことができる。【００７８】
（第２の実施形態）
次に、本発明の第２の実施形態について説明する。本実施形態による移動通信システムは、移動局装置１０ｂ（後述する図１１参照）と基地局装置３０ｂ（後述する図１２参照）とを備えている。第２の実施形態では、下り同期の誤り検出区間を経過した後に、移動局装置１０ｂから基地局装置３０ｂに対して、ランダムアクセスチャネルにより信号を送信する。【００７９】
図１１は、本発明の第２の実施形態による移動局装置１０ｂの構成の一例を示すブロック図である。この移動局装置１０ｂは、受信部１１ｂ、タイミング追尾部１２ｂ、チャネル復調部１３ｂ、スケジュール部１４ｂ、制御信号処理部１５ｂ、復号部１６ｂ、チャネル測定部１７ｂ、タイミング調整部１８ｂ、ＣＱＩ計算部１９ｂ、上位レイヤ２０ｂ、同期監視部２１ｂ、符号部２２ｂ、ランダムアクセス制御部２３ｂ、チャネル変調部２４ｂ、送信電力制御部２５ｂ、送信部２６ｂ、下り同期誤り検出部２７ｂを備えている。【００８０】
第２の実施形態による移動局装置１０ｂ（図１１）の各部１１ｂ〜２６ｂは、第１の実施形態による移動局装置１０ａ（図４）の各部１１ａ〜２６ａと同様の機能を有しているため、それらの説明を省略する。
ただし、第２の実施形態では、移動局装置１０ｂの上位レイヤ２０ｂから同期監視部２１ｂに入力される情報が、下り同期の状態が誤り検出区間から同期保護区間に遷移したことを示す同期保護区間開始制御情報である点において、第１の実施形態と異なる。【００８１】
図１２は、本発明の第２の実施形態による基地局装置３０ｂの構成の一例を示すブロック図である。この基地局装置３０ｂは、受信部３１ｂ、タイミング追尾部３２ｂ、チャネル復調部３３ｂ、スケジュール部３４ｂ、制御信号処理部３５ｂ、復号部３６ｂ、チャネル測定部３７ｂ、上り同期調整要求部３８ｂ、ＣＱＩ計算部３９ｂ、上位レイヤ４０ｂ、符号部４１ｂ、チャネル変調部４２ｂ、送信電力制御部４３ｂ、送信部４４ｂを備えている。
第２の実施形態による基地局装置３０ｂ（図１２）の各部３１ｂ〜４４ｂは、第１の実施形態による基地局装置３０ｂ（図５）の各部３１ａ〜４４ａと同様の機能を有しているため、それらの説明を省略する。【００８２】
図１３（ａ）、図１３（ｂ）は、第２の実施形態における移動局装置１０ｂの基地局装置３０ｂに対する送信（図１３（ａ））とその後の受信（図１３（ｂ））の処理について説明するための図である。図１３（ａ）、図１３（ｂ）において、図６（ａ）、図６（ｂ）と同じ部分については、同一の符号を付して、それらの説明を省略する。
第２の実施形態では、ランダムアクセスチャネルを用いて移動局装置１０ｂから基地局装置３０ｂに対して信号を送信するタイミングは、誤り検出区間Ｐ０２の終了後（時刻ｔ１３）、すなわち誤り検出区間Ｐ０２から同期保護区間Ｐ０３に遷移後の直近のランダムアクセスチャネルの上り送信タイミングである。
第２の実施形態は、第１の実施形態と異なり、時刻ｔ１１から、下り同期誤りが所定回数（例えば、５回）発生した後に、又は、一定時間（例えば、１０ミリ秒）が経過した後に、ランダムアクセスチャネルを用いて、下り同期誤りを検出したことを移動局装置１０ｂから基地局装置３０ｂに対して通知する。
これにより、第１の実施形態よりも移動局装置のランダムアクセスチャネルによる信号の送信回数を大幅に少なくすることができ、移動局装置１０ｂの電力消費を抑制することが可能となる。【００８３】
移動局装置１０ｂは、下り同期の状態が、誤り検出区間Ｐ０２から同期保護区間Ｐ０３に遷移してから、最も直近のランダムアクセスチャネルによる信号の上り送信タイミングで、ランダムアクセスチャネルを利用して信号を移動局装置１０ｂから基地局装置３０ｂに対して送信する。このとき、送信するランダムアクセスチャネルの信号には、ランダムアクセスチャネルによる信号の送信目的を示す情報とＣＱＩ値とが含まれる。なお、ＣＱＩ値の代わりに受信品質が所定の閾値よりも高いか低いかを表すビットを通知する方法もある。
移動局装置１０ｂは、ランダムアクセスチャネルによる信号の送信目的として、下り同期誤りの発生を示す情報を設定し、基地局装置３０ｂに対して通知する。本実施形態において、下り同期誤りの発生を示す情報は、移動局装置１０ｂの下りの同期状態が、誤り検出区間Ｐ０２から同期保護区間Ｐ０３に遷移したことを意味する。【００８４】
ランダムアクセスチャネルによる信号の送信目的の情報（下り同期状態が同期保護区間Ｐ０３であることを示す情報）は、移動局装置１０ｂから基地局装置３０ｂに対して無線送信信号として直接通知しても良いし、ランダムアクセスチャネルの信号のプリアンブル番号や系列、送信周波数領域などを利用して間接的に通知しても良い。
あるいは、特定のＣＱＩ値を、同期保護区間Ｐ０３であることを示すものとして、移動局装置１０ｂと基地局装置３０ｂとの間で予め設定しておくようにしても良い。ランダムアクセスチャネルによる信号の送信目的と、同期保護区間Ｐ０３であることを示す情報との関連付けは、移動通信システム内で一意に設定しても良いし、報知情報チャネルによる信号を用いて基地局装置３０ｂから移動局装置１０ｂに報知するようにしても良いし、基地局装置３０ｂから移動局装置１０ｂ毎に個別に通知するようにしても良い。【００８５】
前述したように、ランダムアクセスチャネルには非同期ランダムアクセスチャネルと同期ランダムアクセスチャネルが存在するが、どちらを使用しても良い。なお、移動局装置１０ｂにおける下り同期誤りの検出方法には、任意の下りチャネルを用いることができる。この検出方法としては、下りチャネルの品質（前述のＳＩＲ、ＳＩＮＲ、ＳＮＲ、ＣＩＲ、ＢＬＥＲ、パスロス、ビット誤り率など）の少なくとも一つをある時間測定し、移動通信システム内で事前に設定された閾値、又は、測定開始前に基地局装置３０ｂから移動局装置１０ｂに予め通知された閾値と比較する方法などを用いることができる。
移動局装置１０ｂは、時刻ｔ１４以降、スケジューリングされている上りデータチャネルの基地局装置３０ｂへの送信停止を行い、下り同期の回復処理を行う。【００８６】
図１４は、本発明の第２の実施形態による移動通信システムの処理を示すシーケンス図である。図１４は、第２の実施形態における、下り同期外れ発生時の移動局装置１０ｂと基地局装置３０ｂの下り同期状態の遷移と、関連する無線制御の処理について示している。図１４のシーケンス図は、移動局装置１０ｂと基地局装置３０ｂが互いに通信を行っている同期区間Ｐ０１、Ｐ０５の状態から開始している。
その後、下り品質劣化などの理由によって移動局装置１０ｂ側の下り同期状態が、同期区間Ｐ０１から誤り検出区間Ｐ０２に遷移する。そして、そのまま誤り検出区間Ｐ０２が終了して同期保護区間Ｐ０３に遷移したとき、移動局装置１０ｂの送信部２６ｂは、同期保護区間Ｐ０３への遷移を通知されることによって（ステップＳ５０１）、移動局装置１０ｂから基地局装置３０ｂへの上り送信停止制御を行う（ステップＳ５０２）また、ランダムアクセスチャネルに、ＣＱＩ値と送信目的として同期保護区間Ｐ０３にあることを示す情報とを乗せて基地局装置３０ｂへ通知する（ステップＳ５０３、Ｓ５０４）。なお、基地局装置３０ｂは、ランダムアクセスチャネルの信号に、同期保護区間Ｐ０３にあることを示す情報が設定されていなくても、移動局装置１０ｂの下り同期状態が同期区間Ｐ０１であれば、送信されないランダムアクセスチャネルの信号を受信したことにより、移動局装置１０ｂが同期保護区間Ｐ０３にあると判定するようにしても良い。【００８７】
前記ランダムアクセスチャネルによる信号を移動局装置１０ｂから受信した基地局装置３０ｂは、基地局装置３０ｂの下り同期状態を、同期区間Ｐ０５から同期保護区間Ｐ０８へと遷移させると同時に、タイマにより時間Ｔａ２（例えば、３秒）の計測を開始する（ステップＳ５０５）。また、基地局装置３０ｂから移動局装置１０ｂに送信する下りデータに対して適応制御を行う（ステップＳ５０６、Ｓ５０７）。ここで、タイマが計測する時間Ｔａ２は、ランダムアクセスチャネルによる信号の最大送信遅延時間に基づいて決定される。
基地局装置３０ｂは、移動局装置１０ｂからランダムアクセスチャネルを用いて同期保護区間Ｐ０３にあることが通知された場合に（ステップＳ５０３、Ｓ５０４）、通知された情報に基づいて次の制御を行う。ランダムアクセスチャネルの信号により通知されたＣＱＩ値が、移動局装置１０ｂから基地局装置３０ｂに前回通知されたＣＱＩ値よりも低い場合、基地局装置３０ｂから移動局装置１０ｂに送信する信号の変調方式をより誤り訂正能力の高い変調方式に切り替えたり、基地局装置３０ｂから移動局装置１０ｂに送信する信号の下り送信電力を増加させたり、またはその両方を行うことにより、下り品質を向上させることで移動局装置１０ｂの下り同期を回復しやすくする。【００８８】
また、ＣＱＩ値が良い無線リソースブロックを、下り同期誤りが発生している移動局装置１０ｂに対して優先的に割り当てたり、無線送信信号を広帯域に分散配置（ディストリビューティッド配置）して周波数ダイバーシティ効果を高める送信方法に切り換えたりしても良い。また、移動局装置１０ｂ宛の無線リソース割当てを縮小し、無線リソースの利用効率を向上させても良い。一方、同時に通知されたＣＱＩ値が移動局装置１０ｂから前回通知されたＣＱＩ値とほぼ同じか上回る場合、一時的な品質劣化による下り同期誤りと判定し、通常の無線リソース割当とスケジューリングを継続する。【００８９】
適応制御を行っても移動局装置１０ｂの下り同期が回復せず、そのまま同期保護区間Ｐ０３が終了したとき、移動局装置１０ｂ側の下り同期状態は、同期保護区間Ｐ０３から再接続区間Ｐ０４に遷移し、移動局装置１０ｂの無線部２６ｂは、下り同期外れを検出したことを通知されることによって（ステップＳ５０８）、セルリセレクション制御を開始する。【００９０】
一方、基地局装置３０ｂは、タイマによる時間Ｔａ２の計測が満了したとき（ステップＳ５０９）、基地局装置３０ｂの下り同期状態を、同期保護区間Ｐ０８から再接続区間Ｐ０７に遷移させ、移動局装置１０ｂに対して割り振っていた上り無線リソースを解放し、他の移動局装置に割り振る。また、ＨＡＲＱによる下りデータ再送を含めた下り送信（ステップＳ５１０）を全て停止し（ステップＳ５１１、Ｓ５１２）、その分の無線リソースを他の移動局装置へ割り振る。【００９１】
なお、タイマが時間Ｔａ２を計測している間に（ステップＳ５１３）、移動局装置１０ｂから上りリファレンスシグナルの信号や、上り送信タイミング調整のためのランダムアクセスチャネルの信号、スケジューリングされていた上りデータ送信、スケジューリング要求などの上りデータが正常に受信された場合は、移動局装置１０ｂの下り同期が回復したものとみなして、タイマによる時間Ｔａ２の計測を停止し、基地局装置３０ｂの下り同期状態を同期区間Ｐ０５に遷移させて通常の処理に復帰する。【００９２】
図１５は、第２の実施形態における移動局装置１０ｂの基地局装置３０ｂに対する送信（図１５（ａ））とその後の受信（図１５（ｂ））の処理の他の一例について説明するための図である。図１５において、図８と同様の部分については、同一の符号を付してそれらの説明を省略する。
図１５では、誤り検出区間Ｐ０２から同期保護区間Ｐ０３に時刻ｔ１３で遷移した場合に、移動局装置１０ｂから基地局装置３０ｂに対してランダムアクセスチャネルにより信号を時刻ｔ１４に送信（ステップＳ４０１）した後、一定の時間間隔Ｔ１２（例えば、１０ミリ秒）でランダムアクセスチャネルにより信号を繰り返し送信している（ステップＳ４０１、Ｓ４０２、Ｓ４０３、・・・）。【００９３】
移動局装置１０ｂは、誤り検出区間Ｐ０２から同期保護区間Ｐ０３に時刻ｔ１３で遷移すると同時に、時間Ｔ１２を計時するタイマを上位レイヤ２０ｂで起動する。その後、タイマによる時間Ｔ１２の計測が満了するまでに下り同期が回復、あるいは下り同期外れに至らないときは、基地局装置３０ｂへ送信目的の情報とＣＱＩ値とを含めた無線送信信号をランダムアクセスチャネルにより送信し、再度、タイマによる時間Ｔ１２の計測を開始する。タイマが計測する時間Ｔ１２は、所定の任意の値として事前に移動局装置１０ｂに通知される。ただし、タイマが計測する時間Ｔ１２は、同期保護区間Ｐ０３の時間より短く設定されている。タイマが計測する時間Ｔ１２を上り同期調整周期と同じ時間長にすることで、上り同期が外れる前にＣＱＩ値を、移動局装置１０ｂから基地局装置３０ｂへ通知できる可能性が大きくなる。【００９４】
本発明の第２の実施形態では、移動局装置１０ｂの下り同期状態が同期保護区間Ｐ０３へ遷移した後であっても、ＣＱＩ値を一定周期かつ継続的に移動局装置１０ｂから基地局装置３０ｂに通知することが可能である。そのため、移動局装置１０ｂは同期回復後に通常のスケジューリングに即座に復帰できる。また、基地局装置３０ｂは、移動局装置１０ｂから一定周期で通知されるＣＱＩ値に基づいて、より同期が回復しやすい制御に切り替えることができる。【００９５】
なお、第１の実施形態で説明した移動局装置１０ａにおける図９の処理と基地局装置３０ａにおける図１０の処理を、第２の実施形態による移動局装置１０ｂと基地局装置３０ｂで行ってもよい。
これにより、移動局装置１０ｂの下り同期状態が同期保護区間Ｐ０３であっても、上りと下りの両方の同期状態を基地局装置３０ｂが推測することが可能となり、基地局装置３０ｂは推測した上りと下りの同期状態に基づいた効率的なスケジューリングを行うことが可能となる。【００９６】
本発明の第２の実施形態では、移動局装置１０ｂにおいて、基地局装置３０ｂから送信される信号に基づいて下り同期誤りを下り同期誤り検出部２７ｂが検出し、下り同期誤り検出部２７ｂが下り同期誤りを所定回数（例えば、５回）検出した場合、又は、一定時間（例えば、１０ミリ秒）が経過した場合に、移動局装置１０ｂの下り同期状態が同期保護区間であることを示す情報を基地局装置３０ｂに対して送信部２６ｂ（下り同期誤り通知部とも称する）が通知する。
また、本発明の第２の実施形態では、基地局装置３０ｂにおいて、移動局装置１０ｂの送信部２６ｂから下り同期状態が同期保護区間であることを示す情報を通知された場合に、移動局装置１０ｂに対して送信する信号にチャネル変調部４２ｂ又は送信電力制御部４３ｂ（適応制御部とも称する）が適応制御を行い、チャネル変調部４２ｂが適応制御を行った信号を移動局装置１０ｂに対して送信部４４ｂ（基地局装置送信部とも称する）が送信する。【００９７】
本発明の第２の実施形態によれば、基地局装置３０ｂ側で下り同期誤りが回復し易いように適応制御を行うことにより、移動局装置１０ｂで下り同期誤りが発生した場合であっても、早期に基地局装置３０ｂと移動局装置１０ｂとの間で通信品質が良好な状態で通信を行うことができる。
また、移動局装置１０ｂの送信部２６ｂは、下り同期誤り検出部２７ｂが下り同期誤りを所定回数（例えば、５回）検出した場合、又は、一定時間（例えば、１０ミリ秒）が経過した場合に、下り同期状態が同期保護区間であることを示す情報を基地局装置３０ｂに対して通知するので、移動局装置１０ｂから基地局装置３０ｂに対して下り同期誤りの発生を通知する回数を減少させることができ、移動局装置１０ｂの消費電力を低くすることができる。【００９８】
（第３の実施形態）
次に、本発明の第３の実施形態について説明する。本実施形態による移動通信システムは、移動局装置１０ｃ（後述する図１６参照）と基地局装置３０ｃ（後述する図１７参照）とを備えている。
第３の実施形態では、移動局装置１０ｃの下り同期状態と上り同期状態は独立した制御が可能であることを利用して、上り送信チャネルであるランダムアクセスチャネルの制御に対しては、上り同期状態に基づいて、より正確な制御を行う。【００９９】
図１６は、本発明の第３の実施形態による移動局装置１０ｃの構成の一例を示すブロック図である。この移動局装置１０ｃは、受信部１１ｃ、タイミング追尾部１２ｃ、チャネル復調部１３ｃ、スケジュール部１４ｃ、制御信号処理部１５ｃ、復号部１６ｃ、チャネル測定部１７ｃ、タイミング調整部１８ｃ、ＣＱＩ計算部１９ｃ、上位レイヤ２０ｃ、同期監視部２１ｃ、符号部２２ｃ、ランダムアクセス制御部２３ｃ、チャネル変調部２４ｃ、送信電力制御部２５ｃ、送信部２６ｃ、下り同期誤り検出部２７ｃを備えている。【０１００】
第３の実施形態による移動局装置１０ｃ（図１６）の各部１１ｃ〜２６ｃは、第１の実施形態による移動局装置１０ａ（図４）の各部１１ａ〜２６ａと同様の機能を有しているため、それらの説明を省略する。
ただし、第３の実施形態では、移動局装置１０ｃのタイミング調整部１８ｃから同期監視部２１ｃにタイミング調整時間情報が入力される点において、第１の実施形態と異なる。【０１０１】
図１７は、本発明の第３の実施形態による基地局装置３０ｃの構成の一例を示すブロック図である。この基地局装置３０ｃは、受信部３１ｃ、タイミング追尾部３２ｃ、チャネル復調部３３ｃ、スケジュール部３４ｃ、制御信号処理部３５ｃ、復号部３６ｃ、チャネル測定部３７ｃ、上り同期調整要求部３８ｃ、ＣＱＩ計算部３９ｃ、上位レイヤ４０ｃ、符号部４１ｃ、チャネル変調部４２ｃ、送信電力制御部４３ｃ、送信部４４ｃを備えている。
第３の実施形態による基地局装置３０ｃ（図１７）の各部３１ｃ〜４４ｃは、第１の実施形態による基地局装置３０ａ（図５）の各部３１ａ〜４４ａと同様の機能を有しているため、それらの説明を省略する。【０１０２】
図１８（ａ）、図１８（ｂ）は、第３の実施形態における移動局装置１０ｃの基地局装置３０ｃに対する送信（図１８（ａ））とその後の受信（図１８（ｂ））の処理について説明するための図である。
第３の実施形態では、ランダムアクセスチャネルを用いて無線送信信号を移動局装置１０ｃから基地局装置３０ｃに対して送信するタイミングは、移動局装置１０ｃの下り同期状態が誤り検出区間Ｐ０２に遷移した後であって（時刻ｔ１１以降）、かつ、上りタイミング調整制御データを移動局装置１０ｃが基地局装置３０ｃから受信した時点（時刻ｔ１５）から、ある所定の時間Ｔ１３（例えば、０．５秒）を経過するたびに繰り返し行う（ステップＳ７０１、Ｓ７０２、・・・）。
本実施形態では、移動局装置１０ｃにおいて、上り同期状態が同期状態である可能性が高い区間中に、ランダムアクセスチャネルを用いて移動局装置１０ｃの下り同期状態が同期保護区間Ｐ０３であることを示す情報を、移動局装置１０ｃから基地局装置３０ｃに対して通知するため、ランダムアクセスチャネルを利用した無線送信信号の基地局装置３０ｃへの送達確率を下げることなく、移動局装置のランダムアクセスチャネルによる信号の送信回数を更に少なくすることができ、移動局装置１０ｃの電力消費を抑制することが可能となる。【０１０３】
移動局装置１０ｃは、最後に基地局装置３０ｃから受信した上りタイミング調整制御データから周期Ｔ１３が経過したときに、下り同期状態が、同期保護区間Ｐ０３に遷移していた場合、最も直近のランダムアクセスチャネルによる信号の上り送信タイミングで、無線送信信号を基地局装置３０ｃに対して送信する。このとき、送信する無線送信信号には、無線送信信号の送信目的とＣＱＩ値とが含まれる。なお、ＣＱＩ値の代わりに受信品質が所定の閾値よりも高いか低いかを表すビットを通知する方法もある。
移動局装置１０ｃは、ランダムアクセスチャネルによる信号の送信目的として、下り同期誤りの発生を示す情報を設定し、基地局装置３０ｃに対して通知する。本実施形態において、下り同期誤りの発生を示す情報は、移動局装置１０ｃの下りの同期状態が、誤り検出区間Ｐ０２から同期保護区間Ｐ０３に遷移したことを意味する。【０１０４】
ランダムアクセスチャネルによる信号の送信目的の情報（下り同期状態が同期保護区間Ｐ０３であることを示す情報）は、移動局装置１０ｃから基地局装置３０ｃに対して無線送信信号として直接通知しても良いし、ランダムアクセスチャネルのプリアンブル番号や系列、送信周波数領域などを利用して間接的に通知しても良い。あるいは、特定のＣＱＩ値を、下り同期状態が同期保護区間Ｐ０３であることを示すものとして、移動局装置１０ｃと基地局装置３０ｃとの間で予め設定しておくようにしても良い。
ランダムアクセスチャネルによる信号の送信目的と、下り同期状態が同期保護区間Ｐ０３であることを示す情報との関連付けは、移動通信システム内で一意に設定しても良いし、報知情報チャネルで基地局装置３０ｃから移動局装置１０ｃに対して報知しても良いし、移動局装置１０ｃ毎に個別に通知するようにしても良い。前述したように、ランダムアクセスチャネルには非同期ランダムアクセスチャネルと同期ランダムアクセスチャネルが存在するが、どちらを使用しても良い。なお、移動局装置１０ｃにおける下り同期誤りの検出方法には、任意の下りチャネルを用いることができ、その検出方法は、下りチャネルの品質（前述のＳＩＲ、ＳＩＮＲ、ＳＮＲ、ＣＩＲ、ＢＬＥＲ、パスロス、ビット誤り率など）の少なくとも一つをある時間測定し、移動通信システム内で事前に設定された閾値、又は、測定開始前に基地局装置３０ｃから移動局装置１０ｃに通知された閾値と比較する方法などを用いることができる。【０１０５】
移動局装置１０ｃは、ランダムアクセスチャネルにより無線送信信号を基地局装置３０ｃに送信した後に、再度、時間Ｔ１３が経過したときに、下り同期状態が同期保護区間Ｐ０３である場合、再びランダムアクセスチャネルを用いて無線送信信号を基地局装置３０ｃに送信する。以降、移動局装置１０ｃは、下り同期状態が再接続区間に遷移するまで同様の制御を繰り返す。また、移動局装置１０ｃは、下り同期状態が再接続区間に遷移したときは、以降のデータ信号送信停止区間において、スケジューリングされている上りデータチャネルの基地局装置３０ｃへの送信停止を行い、下り同期の回復処理を行う。【０１０６】
図１９は、本発明の第３の実施形態による移動通信システムの処理を示すシーケンス図である。図１９は、第３の実施形態における、下り同期外れ発生時の移動局装置１０ｃと基地局装置３０ｃの下り同期状態の遷移と、関連する無線制御の処理について示している。図１９のシーケンス図は、移動局装置１０ｃと基地局装置３０ｃが互いに通信を行っている同期区間Ｐ０１、Ｐ０５の状態から開始している。移動局装置１０ｃは、基地局装置３０ｃから上りタイミング調整制御データを受信したときに（ステップＳ８０１、Ｓ８１５）、タイマによる時間Ｔ１３の計測を開始する（ステップＳ８０２）。タイマによる時間Ｔ１３の計測が満了したときに（ステップＳ８０３）、移動局装置１０ｃの下り同期状態が、同期保護区間Ｐ０３に遷移していなければ何もしない。その後、下り品質劣化などの理由によって、移動局装置１０ｃ側の下り同期状態が、同期区間Ｐ０１から誤り検出区間Ｐ０２に遷移し、更にそのまま誤り検出区間Ｐ０２が終了して同期保護区間Ｐ０３に遷移したとき、移動局装置１０ｃの送信部２６ｃは、同期保護区間Ｐ０３への遷移を通知されることによって（ステップＳ８１３）、移動局装置１０ｃから基地局装置３０ｃへの上り送信停止制御を行う（ステップＳ８１４）。また、タイマによる時間Ｔ１３の計測が満了したときの移動局装置１０ｃの下り同期状態が、同期保護区間Ｐ０３であったとき、移動局装置１０ｃの送信部２６ｃは、ランダムアクセスチャネルに、ＣＱＩ値と送信目的として下り同期状態が同期保護区間Ｐ０３であることを示す情報とを乗せて基地局装置３０ｃへ通知する（ステップＳ８０４、Ｓ８０５、Ｓ８０６）。【０１０７】
なお、基地局装置３０ｃはランダムアクセスチャネルの信号に、同期保護区間Ｐ０３であることを示す情報が設定されていなくても、移動局装置１０ｃの下り同期状態が同期区間Ｐ０１であれば、送信されないランダムアクセスチャネルの信号を受信したことにより、移動局装置１０ｃが同期保護区間Ｐ０３に遷移したと判定するようにしても良い。
また、ランダムアクセスチャネルによる信号の送信と同時に、タイマによる時間Ｔ１３の計測を再度開始し（ステップＳ８０７）、タイマによる時間Ｔ１３の計測が満了したときの移動局装置１０ｃの下り同期状態が、同期保護区間Ｐ０３であれば、再度、ランダムアクセスチャネルを用いて信号を送信する（ステップＳ８０８、Ｓ８０９）。一方、同期区間が同期保護区間Ｐ０３から再接続区間Ｐ０４に遷移していたときは何もしない。【０１０８】
前記ランダムアクセスチャネルにより送信される信号のうち、最初にランダムアクセスチャネルにより送信された信号を受信した基地局装置３０ｃは、下り同期状態を同期区間Ｐ０５から同期保護区間Ｐ０８へと遷移させ、同時にタイマによる時間Ｔａ３（例えば、３秒）の計測を開始する（ステップＳ８１０）。また、基地局装置３０ｃから移動局装置１０ｃに対して送信する下りデータに対して適応制御を行う（ステップＳ８１１、Ｓ８１２）。なお、タイマが計測する時間Ｔａ３は、ランダムアクセスチャネルにより送信する信号の最大送信遅延時間や、時間Ｔ１３に基づいて決定される。
基地局装置３０ｃは、移動局装置１０ｃからランダムアクセスチャネルによる信号によって、移動局装置１０ｃが同期保護区間Ｐ０３にあることが通知された場合には、通知された情報に基づいて次の制御を行う。つまり、前記ランダムアクセスチャネルによる信号で通知されたＣＱＩ値が移動局装置１０ｃから前回通知されたＣＱＩ値よりも低い場合、基地局装置３０ｃから移動局装置１０ｃに送信する信号の変調方式をより誤り訂正能力の高い変調方式に切り替えたり、基地局装置３０ｃから移動局装置１０ｃに送信する信号の下り送信電力を増加させたり、またはその両方を行うことにより、下り品質を向上させることで移動局装置１０ｃの下り同期を回復しやすくする。【０１０９】
また、ＣＱＩ値が良い無線リソースブロックを移動局装置１０ｃに優先的に割り当てたり、無線送信信号を広帯域に分散配置（ディストリビューティッド配置）して周波数ダイバーシティ効果を高める送信方法に切り換えたりしても良い。また、移動局装置１０ｃ宛の無線リソース割当てを縮小し、無線リソースの利用効率を向上させても良い。一方、同時に通知されたＣＱＩ値が移動局装置１０ｃから前回通知されたＣＱＩ値とほぼ同じか上回る場合、一時的な品質劣化による下り同期誤りと判定し、通常の無線リソース割当とスケジューリングを継続する。基地局装置３０ｃは、更に以降のランダムアクセスチャネルにより受信した情報を用いることも可能である。【０１１０】
前記適応制御を行っても移動局装置１０ｃの下り同期が回復せず、そのまま同期保護区間Ｐ０３が終了したとき、移動局装置１０ｃ側の下り同期状態は同期保護区間Ｐ０３から再接続区間Ｐ０４に遷移し、移動局装置１０ｃの無線部２６ｃは、下り同期外れを検出したことを通知されることによって（ステップＳ８１６）、セルリセレクション制御を開始する。【０１１１】
一方、基地局装置３０ｃは、タイマによる時間Ｔａ３の計測が満了したとき（ステップＳ８１７）、基地局装置３０ｃの下り同期状態を、同期保護区間Ｐ０８から再接続区間Ｐ０７に遷移させ、移動局装置１０ｃに対して割り振っていた上り無線リソースを解放し、他の移動局装置に割り振る。また、ＨＡＲＱによる下りデータ再送を含めた下り送信（ステップＳ８１８）を全て停止し（ステップＳ８１９、Ｓ８２０）、その分の無線リソースを他の移動局装置へ割り振る。
なお、タイマが時間Ｔａ３を計測する間に、移動局装置１０ｃから上りリファレンスシグナルの信号や、上り送信タイミング調整のためのランダムアクセスチャネルの信号、スケジューリングされていた上りデータ送信、スケジューリング要求などの上りデータが正常に受信された場合は、移動局装置１０ｃの下り同期が回復したものとみなして、タイマによる時間Ｔａ３の計測を停止し、基地局装置３０ｃの下り同期状態を、同期区間Ｐ０５に遷移させて通常の処理に復帰する。【０１１２】
本発明の第３の実施形態では、移動局装置１０ｃにおいて、基地局装置３０ｃから送信される信号に基づいて下り同期誤りを下り同期誤り検出部２１ｃが検出し、下り同期誤り検出部２１ｃが下り同期誤りを検出した後であって基地局装置３０ｃから上りタイミング調整制御データを受信した後に下り同期誤りの発生を基地局装置３０ｃに対して送信部２６ｃ（下り同期誤り通知部）が通知する。
また、本発明の第３の実施形態では、基地局装置３０ｃにおいて、移動局装置１０ｃの送信部２６ｃから下り同期誤りの発生を通知された場合に、移動局装置１０ｃに対して送信する信号にチャネル変調部４２ｃ又は送信電力制御部４３ｃ（適応制御部とも称する）が適応制御を行い、チャネル変調部４２ｃが適応制御を行った信号を移動局装置１０ｃに対して送信部４４ｃ（基地局装置送信部とも称する）が送信する。【０１１３】
本発明の第３の実施形態によれば、基地局装置３０ｃ側で下り同期誤りが回復し易いように適応制御を行うことにより、移動局装置１０ｃで下り同期誤りが発生した場合であっても、基地局装置３０ｃから上りタイミング調整制御データを受信後、早期に基地局装置３０ｃと移動局装置１０ｃとの間で通信品質が良好な状態で通信を行うことができる。
また、移動局装置１０ｃの送信部２６ｃは、上り同期状態が同期状態である可能性が高い区間中に、ランダムアクセスチャネルを用いて移動局装置１０ｃの下り同期状態が同期保護区間であることを示す情報を、基地局装置３０ｃに対して通知するので、移動局装置のランダムアクセスチャネルによる信号の送信回数を更に少なくすることができ、移動局装置１０ｃの消費電力を低くすることができる。【０１１４】
上述した第１から第３の実施形態によれば、移動局装置の下り同期状態が下り同期外れとなっても、移動局装置の下り同期状態を早期に基地局装置に伝えることができるため、適応制御によって下り同期外れからの回復の可能性を高めることができ、通信品質が向上する。また、移動局装置の下り同期状態を基地局装置が把握可能となるため、無駄なリソース割当てを行うことがなくなり、無線リソース利用効率を向上させることができる。【０１１５】
なお、以上説明した実施形態において、第１の実施形態による移動局装置１０ａ（図４）及び基地局装置３０ａ（図５）の各部、第２の実施形態による移動局装置１０ｂ（図１１）及び基地局装置３０ｂ（図１２）の各部、第３の実施形態による移動局装置１０ｃ（図１６）及び基地局装置３０ｃ（図１７）の各部の機能又はこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行っても良い。なお、ここでいう「コンピュータシステム」とは、ＯＳや周辺機器等のハードウェアを含むものとする。【０１１６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。【０１１７】
以上、この発明の実施形態について図面を参照して詳述してきたが、具体的な構成はこの実施形態に限られるものではなく、この発明の要旨を逸脱しない範囲の設計等も特許請求の範囲に含まれる。
【産業上の利用可能性】
【０１１８】
本発明は、移動局装置で下り同期誤りが発生した場合であっても、早期に基地局装置と移動局装置との間で通信品質が良好な状態で通信を行うことができる移動通信システム、移動局装置、基地局装置及び移動通信方法などに適用できる。
【図１】
2008111606.tif 000003
【図２】
2008111606.tif 000004
【図３】
2008111606.tif 000005
【図４】
2008111606.tif 000006
【図５】
2008111606.tif 000007
【図６】
2008111606.tif 000008
【図７】
2008111606.tif 000009
【図８】
2008111606.tif 000010
【図９】
2008111606.tif 000011
【図１０】
2008111606.tif 000012
【図１１】
2008111606.tif 000013
【図１２】
2008111606.tif 000014
【図１３】
2008111606.tif 000015
【図１４】
2008111606.tif 000016
【図１５】
2008111606.tif 000017
【図１６】
2008111606.tif 000018
【図１７】
2008111606.tif 000019
【図１８】
2008111606.tif 000020
【図１９】
2008111606.tif 000021
【図２０】
2008111606.tif 000022
【図２１】
2008111606.tif 000023
【図２２】
2008111606.tif 000024
【図２３】
2008111606.tif 000025
【図２４】
2008111606.tif 000026
【図２５】
2008111606.tif 000027
【手続補正書】
【提出日】平成20年10月27日(2008.10.27)
【手続補正１】
【補正対象書類名】特許請求の範囲
【補正対象項目名】全文
【補正方法】変更
【補正の内容】
【特許請求の範囲】
【請求項１】
移動局装置と基地局装置とを備える移動通信システムであって、
前記移動局装置は、
前記基地局装置の送信信号の測定結果から下り同期誤りの発生を検出する下り同期誤り検出部と、
前記移動局装置の下り同期状態、又は下り同期状態と上り同期状態に基づきランダムアクセスチャネルを生成する同期監視部と、
前記ランダムアクセスチャネルを前記基地局装置へ送信する下り同期誤り通知部とを備え、
前記基地局装置は、
前記移動局装置からのランダムアクセスチャネルを受信し、前記下り同期誤りの発生に基づくスケジューリングを行う適応制御部を備えることを特徴とする移動通信システム。
【請求項２】
移動局装置と基地局装置とを備える移動通信システムであって、
前記移動局装置は、
前記基地局装置の送信信号の測定結果から下り同期誤りの発生を検出する下り同期誤り検出部と、
前記移動局装置の下り同期状態、又は下り同期状態と上り同期状態に基づき下り同期誤りの発生を示す情報をランダムアクセスチャネルに設定する同期監視部と、
前記ランダムアクセスチャネルを前記基地局装置へ送信する下り同期誤り通知部とを備え、
前記基地局装置は、
前記移動局装置からのランダムアクセスチャネルを受信し、前記ランダムアクセスチャネルに設定された下り同期誤りの発生を示す制御情報の取得処理を実行し、前記下り同期誤りの発生を示す情報に基づくスケジューリングを行う適応制御部を備えることを特徴とする移動通信システム。
【請求項３】
前記移動局装置は、
前記移動局装置の下り同期状態が下り同期誤りの発生を少なくとも一回検出した状態であれば、前記基地局装置に対して下り同期誤りの発生を示す情報をランダムアクセスチャネルに設定することを特徴とする請求項２に記載の移動通信システム。
【請求項４】
前記移動局装置は、
前記移動局装置の下り同期状態が下り同期誤りの発生を所定回数又は所定時間連続して検出している状態であれば、前記基地局装置に対して下り同期誤りの発生を示す情報をランダムアクセスチャネルに設定することを特徴とする請求項２に記載の移動通信システム。
【請求項５】
前記移動局装置は、
前記移動局装置の上り同期状態が上り送信タイミングを示す上りタイミング調整制御データを受信してから所定の時間内の状態であり、更に前記移動局装置の下り同期状態が下り同期誤りを少なくとも一回検出した状態であれば、前記基地局装置に対して下り同期誤りの発生を示す情報をランダムアクセスチャネルに設定することを特徴とする請求項２に記載の移動通信システム。
【請求項６】
前記移動局装置は、
前記基地局装置に対して下り同期誤りの発生を通知した後、所定時間が経過するたびに前記基地局装置に対してランダムアクセスチャネルを用いて下り同期誤りの発生を繰り返し送信することを特徴とする請求項２に記載の移動通信システム。
【請求項７】
前記基地局装置は、
前記移動局装置から下り同期誤りの発生を通知されると同時に下り同期外れまでの時間を計時するタイマを起動し、前記タイマが満了するまで、又は、下り同期誤りが回復するまでの期間において、前記移動局装置への送信信号に対して下り同期誤りの通知前よりも誤り訂正能力の高い変調方式を用いる、又は、送信電力を増加させるスケジューリングを行うことを特徴とする請求項２に記載の移動通信システム。
【請求項８】
前記基地局装置は、
前記移動局装置から下り同期誤りの発生を通知されると同時に下り同期外れまでの時間を計時するタイマを起動し、前記タイマが満了したときに、以降の前記移動局装置に対する送信を停止するスケジューリングを行うことを特徴とする請求項２に記載の移動通信システム。
【請求項９】
基地局装置と通信する移動局装置であって、
前記基地局装置の送信信号の測定結果から下り同期誤りの発生を検出する下り同期誤り検出部と、
前記移動局装置の下り同期状態、又は下り同期状態と上り同期状態に基づきランダムアクセスチャネルを生成する同期監視部と、
前記ランダムアクセスチャネルを前記基地局装置へ送信する下り同期誤り通知部と、
を備えることを特徴とする移動局装置。
【請求項１０】
基地局装置と通信する移動局装置であって、
前記基地局装置の送信信号の測定結果から下り同期誤りの発生を検出する下り同期誤り検出部と、
前記移動局装置の下り同期状態、又は下り同期状態と上り同期状態に基づき下り同期誤りの発生を示す情報をランダムアクセスチャネルに設定する同期監視部と、
前記ランダムアクセスチャネルを前記基地局装置へ送信する下り同期誤り通知部と、
を備えることを特徴とする移動局装置。
【請求項１１】
前記同期監視部は、移動局装置の下り同期状態が下り同期誤りの発生を少なくとも一回検出した状態であれば、下り同期誤りの発生を示す情報をランダムアクセスチャネルに設定することを特徴とする請求項１０に記載の移動局装置。
【請求項１２】
前記同期監視部は、前記移動局装置の下り同期状態が下り同期誤りの発生を所定回数又は所定時間連続して検出している状態であれば、下り同期誤りの発生を示す情報をランダムアクセスチャネルに設定することを特徴とする請求項１０に記載の移動局装置。
【請求項１３】
前記同期監視部は、前記移動局装置の上り同期状態が上り送信タイミングを示す上りタイミング調整制御データを受信してから所定の時間内の状態であり、更に前記移動局装置の下り同期状態が下り同期誤りを少なくとも一回検出した状態であれば、下り同期誤りの発生を示す情報をランダムアクセスチャネルに設定することを特徴とする請求項１０に記載の移動局装置。
【請求項１４】
前記下り同期誤り通知部は、前記基地局装置に対して下り同期誤りの発生を通知した後、所定時間が経過するたびに前記基地局装置に対してランダムアクセスチャネルを用いて下り同期誤りの発生を繰り返し通知することを特徴とする請求項１０に記載の移動局装置。
【請求項１５】
移動局装置と通信する基地局装置であって、
前記移動局装置から下り同期誤りの発生を通知されると同時に下り同期外れまでの時間を計時するタイマを起動し、前記タイマが満了するまで、又は下り同期誤りが回復するまでの期間において、前記下り同期誤りの発生を示す情報に基づくスケジューリングを行う適応制御部を備えることを特徴とする基地局装置。
【請求項１６】
前記適応制御部は、前記移動局装置への送信信号に対して下り同期誤りの通知前よりも誤り訂正能力のより高い変調方式を用いる、又は、送信電力を増加させるスケジューリングを行うことを特徴とする請求項１５に記載の基地局装置。
【請求項１７】
前記適応制御部は、前記移動局装置から下り同期誤りの発生を通知されると同時に下り同期外れまでの時間を計時するタイマを起動し、前記タイマが満了したときに、以降の前記移動局装置に対する送信を停止するスケジューリングを行うことを特徴とする請求項１５に記載の基地局装置。
【請求項１８】
移動局装置と基地局装置とを用いた移動通信方法であって、
前記移動局装置は、
前記基地局装置の送信信号の測定結果から下り同期誤りの発生を検出する下り同期誤り検出過程と、
前記移動局装置の下り同期状態、又は下り同期状態と上り同期状態に基づき下り同期誤りの発生を示す情報をランダムアクセスチャネルに設定する同期監視過程と、
前記ランダムアクセスチャネルを前記基地局装置へ送信する下り同期誤り通知過程とを有し、
前記基地局装置は、
前記移動局装置からのランダムアクセスチャネルを受信し、前記ランダムアクセスチャネルに設定された下り同期誤りの発生を示す制御情報の取得処理を実行し、前記下り同期誤りの発生を示す情報に基づくスケジューリングを行う適応制御過程を有することを特徴とする移動通信方法。
【請求項１９】
前記同期監視過程では、前記移動局装置の下り同期状態が下り同期誤りの発生を少なくとも一回検出した状態であれば、前記基地局装置に対して下り同期誤りの発生を示す情報をランダムアクセスチャネルに設定することを特徴とする請求項１８に記載の移動通信方法。
【請求項２０】
前記同期監視過程では、前記移動局装置の下り同期状態が下り同期誤りの発生を所定回数又は所定時間連続して検出している状態であれば、前記基地局装置に対して下り同期誤りの発生を示す情報をランダムアクセスチャネルに設定することを特徴とする請求項１８に記載の移動通信方法。
【請求項２１】
前記同期監視過程では、前記移動局装置の上り同期状態が上り送信タイミングを示す上りタイミング調整制御データを受信してから所定の時間内の状態であり、更に前記移動局装置の下り同期状態が下り同期誤りを少なくとも一回検出した状態であれば、前記基地局装置に対して下り同期誤りの発生を示す情報をランダムアクセスチャネルに設定することを特徴とする請求項１８に記載の移動通信方法。
【請求項２２】
前記下り同期誤り通知過程では、前記基地局装置に対して下り同期誤りの発生を通知した後、所定時間が経過するたびに前記基地局装置に対してランダムアクセスチャネルを用いて下り同期誤りの発生を繰り返し通知することを特徴とする請求項１８に記載の移動通信方法。
【請求項２３】
前記適応制御過程では、前記移動局装置から下り同期誤りの発生を通知されると同時に下り同期外れまでの時間を計時するタイマを起動し、前記タイマが満了するまで、又は下り同期誤りが回復するまでの期間において、前記移動局装置への送信信号に対して下り同期誤りの通知前よりも誤り訂正能力のより高い変調方式を用いる、又は、送信電力を増加させるスケジューリングを行うことを特徴とする請求項１８に記載の移動通信方法。
【請求項２４】
前記適応制御過程では、前記移動局装置から下り同期誤りの発生を通知されると同時に下り同期外れまでの時間を計時するタイマを起動し、前記タイマが満了したときに、以降の前記移動局装置に対する送信を停止するスケジューリングを行うことを特徴とする請求項１８に記載の移動通信方法。
【手続補正２】
【補正対象書類名】明細書
【補正対象項目名】０００６
【補正方法】変更
【補正の内容】
【０００６】
装置との間で通信品質が良好な状態で通信を行うことができるようになるまでに、時間がかかるという問題があった。
［００１３］
本発明は、上記事情に鑑みてなされたものであり、その目的は、移動局装置で下り同期誤りが発生した場合であっても、早期に基地局装置と移動局装置との間で通信品質が良好な状態で通信を行うことができる移動通信システム、移動局装置、基地局装置及び移動通信方法を提供することにある。
課題を解決するための手段
［００１４］
（１）  本発明は、上記課題を解決するためになされたもので、本発明の一態様による移動通信システムは、移動局装置と基地局装置とを備える移動通信システムであって、前記移動局装置は、前記基地局装置の送信信号の測定結果から下り同期誤りの発生を検出する下り同期誤り検出部と、前記移動局装置の下り同期状態、又は下り同期状態と上り同期状態に基づきランダムアクセスチャネルを生成する同期監視部と、前記ランダムアクセスチャネルを前記基地局装置へ送信する下り同期誤り通知部とを備え、前記基地局装置は、前記移動局装置からのランダムアクセスチャネルを受信し、前記下り同期誤りの発生に基づくスケジューリングを行う適応制御部を備える。
（２）  また、本発明の一態様による移動通信システムは、前記移動局装置は、前記基地局装置の送信信号の測定結果から下り同期誤りの発生を検出する下り同期誤り検出部と、前記移動局装置の下り同期状態、又は下り同期状態と上り同期状態に基づき下り同期誤りの発生を示す情報をランダムアクセスチャネルに設定する同期監視部と、前記ランダムアクセスチャネルを前記基地局装置へ送信する下り同期誤り通知部とを備え、前記基地局装置は、前記移動局装置からのランダムアクセスチャネルを受信し、前記ランダムアクセスチャネルに設定された下り同期誤りの発生を示す制御情報の取得処理を実行し、前記下り同期誤りの発生を示す情報に基づくスケジューリングを行う適応制御部を備える。
［００１５］
（３）  また、本発明の一態様による移動通信システムの前記移動局装置は、前記移動局装置の下り同期状態が下り同期誤りの発生を少なくとも一回検出した状態であれば、前記基地局装置に対して下り同期誤りの発生を示す情報をランダムアクセスチャネルに設定する。
［００１６］
（４）  また、本発明の一態様による移動通信システムの前記移動局装置は、前記移動局装置の下り同期状態が下り同期誤りの発生を所定回数又は所定時間連続して検出している状態であれば、前記基地局装置に対して下り同期誤りの発生を示す情報をランダムアクセスチャネルに設定する。
［００１７］
（５）  また、本発明の一態様による移動通信システムの前記移動局装置は、前記移動局装置の上り同期状態が上り送信タイミングを示す上りタイミング調整制御データを受信してから所定の時間内の状態であり、更に前記移動局装置の下り同期状態が
【手続補正３】
【補正対象書類名】明細書
【補正対象項目名】０００７
【補正方法】変更
【補正の内容】
【０００７】
下り同期誤りを少なくとも一回検出した状態であれば、前記基地局装置に対して下り同期誤りの発生を示す情報をランダムアクセスチャネルに設定する。
［００１８］
（６）  また、本発明の一態様による移動通信システムの前記移動局装置は、前記基地局装置に対して下り同期誤りの発生を通知した後、所定時間が経過するたびに前記基地局装置に対してランダムアクセスチャネルを用いて下り同期誤りの発生を繰り返し送信する。
［００１９］
（７）  また、本発明の一態様による移動通信システムの前記基地局装置は、前記移動局装置から下り同期誤りの発生を通知されると同時に下り同期外れまでの時間を計時するタイマを起動し、前記タイマが満了するまで、又は、下り同期誤りが回復するまでの期間において、前記移動局装置への送信信号に対して下り同期誤りの通知前よりも誤り訂正能力の高い変調方式を用いる、又は、送信電力を増加させるスケジューリングを行う。
［００２０］
（８）  また、本発明の一態様による移動通信システムの前記基地局装置は、前記移動局装置から下り同期誤りの発生を通知されると同時に下り同期外れまでの時間を計時するタイマを起動し、前記タイマが満了したときに、以降の前記移動局装置に対する送信を停止するスケジューリングを行う。
［００２１］
（９）  また、本発明の一態様による移動局装置は、基地局装置と通信する移動局装置であって、前記基地局装置の送信信号の測定結果から下り同期誤りの発生を検出する下り同期誤り検出部と、前記移動局装置の下り同期状態、又は下り同期状態と上り同期状態に基づきランダムアクセスチャネルを生成する同期監視部と、前記ランダムアクセスチャネルを前記基地局装置へ送信する下り同期誤り通知部とを備える。
（１０）  また、本発明の一態様による移動局装置は、基地局装置と通信する移動局装置であって、前記基地局装置の送信信号の測定結果から下り同期誤りの発生を検出する下り同期誤り検出部と、前記移動局装置の下り同期状態、又は下り同期状態と上り同期状態に基づき下り同期誤りの発生を示す情報をランダムアクセスチャネルに設定する同期監視部と、前記ランダムアクセスチャネルを前記基地局装置へ送信する下り同期誤り通知部とを備える。
［００２２］
（１１）  また、本発明の一態様による移動局装置の前記同期監視部は、移動局装置の下り同期状態が下り同期誤りの発生を少なくとも一回検出した状態であれば、下り同期誤りの発生を示す情報をランダムアクセスチャネルに設定する。
［００２３］
（１２）  また、本発明の一態様による移動局装置の前記同期監視部は、前記移動局装置の下り同期状態が下り同期誤りの発生を所定回数又は所定時間連続して検出している状態であれば、下り同期誤りの発生を示す情報をランダムアクセスチャネル
【手続補正４】
【補正対象書類名】明細書
【補正対象項目名】０００８
【補正方法】変更
【補正の内容】
【０００８】
に設定する。
［００２４］
（１３）  また、本発明の一態様による移動局装置の前記同期監視部は、前記移動局装置の上り同期状態が上り送信タイミングを示す上りタイミング調整制御データを受信してから所定の時間内の状態であり、更に前記移動局装置の下り同期状態が下り同期誤りを少なくとも一回検出した状態であれば、下り同期誤りの発生を示す情報をランダムアクセスチャネルに設定する。
［００２５］
（１４）  また、本発明の一態様による移動局装置の前記下り同期誤り通知部は、前記基地局装置に対して下り同期誤りの発生を通知した後、所定時間が経過するたびに前記基地局装置に対してランダムアクセスチャネルを用いて下り同期誤りの発生を繰り返し通知する。
［００２６］
（１５）  また、本発明の一態様による基地局装置は、移動局装置と通信する基地局装置であって、前記移動局装置から下り同期誤りの発生を通知されると同時に下り同期外れまでの時間を計時するタイマを起動し、前記タイマが満了するまで、又は下り同期誤りが回復するまでの期間において、前記下り同期誤りの発生を示す情報に基づくスケジューリングを行う適応制御部を備える。
［００２７］
（１６）  また、本発明の一態様による基地局装置の前記適応制御部は、前記移動局装置への送信信号に対して下り同期誤りの通知前よりも誤り訂正能力のより高い変調方式を用いる、又は、送信電力を増加させるスケジューリングを行う。
［００２８］
（１７）  また、本発明の一態様による基地局装置の前記適応制御部は、前記移動局装置から下り同期誤りの発生を通知されると同時に下り同期外れまでの時間を計時するタイマを起動し、前記タイマが満了したときに、以降の前記移動局装置に対する送信を停止するスケジューリングを行う。
［００２９］
（１８）  また、本発明の一態様による移動通信方法は、移動局装置と基地局装置とを用いた移動通信方法であって、前記移動局装置は、前記基地局装置の送信信号の測定結果から下り同期誤りの発生を検出する下り同期誤り検出過程と、前記移動局装置の下り同期状態、又は下り同期状態と上り同期状態に基づき下り同期誤りの発生を示す情報をランダムアクセスチャネルに設定する同期監視過程と、前記ランダムアクセスチャネルを前記基地局装置へ送信する下り同期誤り通知過程とを有し、前
【手続補正５】
【補正対象書類名】明細書
【補正対象項目名】０００９
【補正方法】変更
【補正の内容】
【０００９】
記基地局装置は、前記移動局装置からのランダムアクセスチャネルを受信し、前記ランダムアクセスチャネルに設定された下り同期誤りの発生を示す制御情報の取得処理を実行し、前記下り同期誤りの発生を示す情報に基づくスケジューリングを行う適応制御過程を有する。
［００３０］
（１９）  また、本発明の一態様による移動通信方法の前記同期監視過程では、前記移動局装置の下り同期状態が下り同期誤りの発生を少なくとも一回検出した状態であれば、前記基地局装置に対して下り同期誤りの発生を示す情報をランダムアクセスチャネルに設定する。
［００３１］
（２０）  また、本発明の一態様による移動通信方法の前記同期監視過程では、前記移動局装置の下り同期状態が下り同期誤りの発生を所定回数又は所定時間連続して検出している状態であれば、前記基地局装置に対して下り同期誤りの発生を示す情報をランダムアクセスチャネルに設定する。
［００３２］
（２１）  また、本発明の一態様による移動通信方法の前記同期監視過程では、前記移動局装置の上り同期状態が上り送信タイミングを示す上りタイミング調整制御データを受信してから所定の時間内の状態であり、更に前記移動局装置の下り同期状態が下り同期誤りを少なくとも一回検出した状態であれば、前記基地局装置に対して下り同期誤りの発生を示す情報をランダムアクセスチャネルに設定する。
［００３３］
（２２）  また、本発明の一態様による移動通信方法の前記下り同期誤り通知過程では、前記基地局装置に対して下り同期誤りの発生を通知した後、所定時間が経過するたびに前記基地局装置に対してランダムアクセスチャネルを用いて下り同期誤りの発生を繰り返し通知する。
［００３４］
（２３）  また、本発明の一態様による移動通信方法の前記適応制御過程では、前記移動局装置から下り同期誤りの発生を通知されると同時に下り同期外れまでの時間を計時するタイマを起動し、前記タイマが満了するまで、又は下り同期誤りが回復するまでの期間において、前記移動局装置への送信信号に対して下り同期誤りの通知前よりも誤り訂正能力のより高い変調方式を用いる、又は、送信電力を増加させるスケジューリングを行う。
［００３５］
（２４）  また、本発明の一態様による移動通信方法の前記適応制御過程では、前記
【国際調査報告】
2008111606.tif 000028
2008111606.tif 000029
2008111606.tif 000030
2008111606.tif 000031